(57)【要約】 本発明は回線交換（ＣＳ）呼接続の切替方法を開示している。当該方法は、ＣＳ加入者がＣＳ通話プロセスにおいて、アクセス方式またはアクセス端末に対して切り替える必要があるとき、切替側加入者と相手加入者との間の初期ＣＳ呼接続を確立し、ＣＳネットワークサービス制御エンティティの制御下で、ＣＳネットワーク呼制御エンティティと前記切替側加入者の切替先の接続ポイントとの間で新しい呼接続を確立し、次に前記切替先の接続ポイントを初期ＣＳ呼接続における切替側加入者と通信する相手加入者に接続し、最後にＣＳネットワーク呼制御エンティティと前記切替側加入者の切替前の接続ポイントとの間の呼接続を解放することを含む。これによって、元のＣＳ通話において新しい呼接続ポイントに切り替えると同時に、通話の連続性を確保する目的を実現する。前記切替前の接続ポイントと前記切替先の接続ポイントは、それぞれ異なる端末または異なる通信網にアクセスする同一の端末であってよい。
2008532364.tif 000002
【特許請求の範囲】
【請求項１】
回線交換（ＣＳ）呼接続の切替方法であって、
切替側加入者と相手加入者との間の初期ＣＳ呼接続を確立するステップａと、
切替プロセスにおいて、ＣＳネットワークサービス制御エンティティの制御下で、ＣＳネットワーク呼制御エンティティと前記切替側加入者の切替先の接続ポイントとの間で新しい呼接続を確立し、次にＣＳネットワーク呼制御エンティティは、ＣＳネットワークサービス制御エンティティの制御下で、前記切替先の接続ポイントを初期ＣＳ呼接続における相手加入者に接続し、最後にＣＳネットワーク呼制御エンティティと前記切替前の接続ポイントとの間の呼接続を解放するステップｂとを含み、
ここで、前記切替前の接続ポイントと前記切替先の接続ポイントは、それぞれ異なる加入者端末であり、または異なる通信網にアクセスする同一のユ―ザ端末である、
ことを特徴とするこの方法。
【請求項２】
ステップｂにおいて、前記切替前の接続ポイントと前記切替先の接続ポイントは、それぞれＣＳネットワークとインターネットプロトコルＩＰマルチメディアサブシステムＩＭＳにアクセスする加入者端末であり、
前記ＣＳネットワーク呼制御エンティティと前記切替先の接続ポイントとの間で新しい呼接続を確立するステップは、
メディアゲートウェイ制御機能及びＩＭメディアゲートウェイ（ＭＧＣＦ／ＩＭ−ＭＧＷ）を介して、ＣＳネットワークからＩＭＳへのインタワーキング呼を確立するステップを含む、
ことを特徴とする請求項１に記載の方法。
【請求項３】
ステップｂの前に、
ＣＳネットワークサービス制御エンティティは、受信された切替要求または切替イベント通知から、前記切替側加入者の切替先の接続ポイントのアドレッシング情報を取得し、または、ＣＳネットワークサービス制御エンティティは、自身に保存されている加入者の加入情報から、前記切替側加入者の切替先の接続ポイントのアドレッシング情報を取得するステップｂ０をさらに含み、
ステップｂにおいて、前記ＣＳネットワーク呼制御エンティティと前記切替先の接続ポイントとの間で新しい呼接続を確立するステップは、
ＣＳネットワークサービス制御エンティティは、取得された前記切替側加入者の切替先の接続ポイントのアドレッシング情報をＣＳネットワーク呼制御エンティティに送信し、ＣＳネットワーク呼制御エンティティは、受信されたアドレッシング情報によって前記切替側加入者の切替先の接続ポイントと新しい呼接続を確立するステップを含む、
ことを特徴とする請求項１または２に記載の方法。
【請求項４】
前記ステップｂ０の前に、
前記切替前の接続ポイントは、現在のネットワーク接続の無線信号の強さが所定値より低いまたは自身が続いて動作できないと判定した場合、ＣＳネットワークサービス制御エンティティに切替要求を送信し、または、前記切替前の接続ポイントは、加入者の指示に応じてＣＳネットワークサービス制御エンティティに切替要求を送信する、ステップをさらに含む、
ことを特徴とする請求項３に記載の方法。
【請求項５】
前記切替前の接続ポイントがＣＳネットワークサービス制御エンティティに切替要求を送信するステップは、
前記切替前の接続ポイントは、非構造付加サービスデータ（ＵＳＳＤ）方式でＣＳネットワークサービス制御エンティティに切替要求を送信し、または、前記切替前の接続ポイントは、機能（Ｆａｃｉｌｉｔｙ）メッセージを用いてＣＳネットワークサービス制御エンティティに切替要求を送信するステップを含む、
ことを特徴とする請求項４に記載の方法。
【請求項６】
前記ステップｂ０において、前記ＣＳネットワークサービス制御エンティティが自身に保存されている加入者の加入情報から前記切替側加入者の切替先の接続ポイントのアドレッシング情報を取得するステップは、
ＣＳネットワークサービス制御エンティティは、予め設定されたポリシーによって切替条件を満足すると判定した場合、自身に保存されている加入者の加入情報から前記切替側加入者の切替先の接続ポイントのアドレッシング情報を取得するステップを含む、
ことを特徴とする請求項３に記載の方法。
【請求項７】
前記ステップｂは、
ＣＳネットワークサービス制御エンティティは、ＣＳネットワーク呼制御エンティティが前記切替前の接続ポイントへ切替プロンプト音声を再生するよう制御するステップ、
または、ＣＳネットワークサービス制御エンティティは、通知（Ｎｏｔｉｆｙ）メッセージまたは機能（Ｆａｃｉｌｉｔｙ）メッセージを用いて前記切替前の接続ポイントへ切替プロンプト情報を送信するステップ、をさらに含む、
ことを特徴とする請求項６に記載の方法。
【請求項８】
ステップｂ０において、前記ＣＳネットワークサービス制御エンティティが受信された切替イベント通知から前記切替側加入者の切替先の接続ポイントのアドレッシング情報を取得するステップは、
ＣＳネットワークサービス制御エンティティは、切替側加入者からの切替イベント通知を受信し、受信された切替イベント通知から前記切替先の接続ポイントのアドレッシング情報を取得するステップを含む、
ことを特徴とする請求項３に記載の方法。
【請求項９】
前記切替イベント通知は、
切替側加入者がその切替前の接続ポイントを介してＵＳＳＤ方式またはＦａｃｉｌｉｔｙメッセージでＣＳネットワークサービス制御エンティティに送信した切替イベント通知、または、ＣＳネットワークサービス制御エンティティがプレゼンス（Ｐｒｅｓｅｎｃｅ）サービスの加入と通知の方式により受信した切替イベント通知を含む、
ことを特徴とする請求項８に記載の方法。
【請求項１０】
ステップｂにおいて、前記ＣＳネットワーク呼制御エンティティと前記切替先の接続ポイントとの間で新しい呼接続を確立するステップは、
ＣＳネットワーク呼制御エンティティは、受信された前記切替先の接続ポイントのアドレッシング情報によって、前記切替先の接続ポイントに呼確立要求メッセージを送信するステップを含み、
当該呼確立要求メッセージには、当該呼接続が切替接続であることを指示する特定番号プレフィックスを有する着呼番号、または当該呼接続が切替接続であることを指示するシグナリング識別子が付けられている、
ことを特徴とする請求項１に記載の方法。
【請求項１１】
ステップｂにおいて、前記ＣＳネットワーク呼制御エンティティと前記切替先の接続ポイントとの間で新しい呼接続を確立するステップは、
ＭＧＣＦ／ＩＭ−ＭＧＷを介して、ＣＳネットワークからＩＭＳへのインタワーキング呼を確立し、ＭＧＣＦにより、前記特定番号プレフィックスまたはシグナリング識別子を、セッション開始プロトコル（ＳＩＰ）シグナリングにおける指示に変換するステップを含む、
ことを特徴とする請求項１０に記載の方法。
【請求項１２】
前記ステップｂは、
ＣＳネットワーク呼制御エンティティと前記切替側加入者の切替先の接続ポイントとの間で新しい呼接続を確立するプロセスにおいて、当該呼接続に係るネットワークエンティティ及び加入者端末は、前記特定番号プレフィックスまたはシグナリング識別子またはＳＩＰシグナリングにおける指示によって、着呼側サービスの衝突処理、または着信音の回避処理、または課金最適化処理を行うステップをさらに含む、
ことを特徴とする請求項１０または１１に記載の方法。
【請求項１３】
前記ステップａは、
切替側加入者と相手加入者との間の初期ＣＳ呼接続を確立するプロセスにおいて、前記切替先の接続ポイントは、ＣＳネットワークサービス制御エンティティから、ＣＳネットワーク呼制御エンティティのアドレッシング情報を取得するステップをさらに含み、または、前記ステップａの後、ステップｂの前に、前記切替先の接続ポイントは、前記切替前の接続ポイントから、ＣＳネットワーク呼制御エンティティのアドレッシング情報を取得するステップをさらに含み、
ステップｂにおいて、ＣＳネットワーク呼制御エンティティと前記切替先の接続ポイントとの間で新しい呼接続を確立するステップは、
前記切替先の接続ポイントは、取得されたＣＳネットワーク呼制御エンティティのアドレッシング情報によって、ＣＳネットワーク呼制御エンティティに接続確立要求を送信し、前記ＣＳネットワーク呼制御エンティティは、ＣＳネットワークサービス制御エンティティの指示に応じて当該要求を受け取り、且つ前記切替先の接続ポイントと新しい呼接続を確立するステップを含む、
ことを特徴とする請求項１または２に記載の方法。
【請求項１４】
ステップｂにおいて、前記ＣＳネットワークサービス制御エンティティは、インテリジェントネットワークのサービス制御ポイント（ＳＣＰ）であり、前記ＣＳネットワーク呼制御エンティティは、切替側加入者のインテリジェントサービスのトリガーを担当するサービス交換ポイント（ＳＳＰ）であり、
または、前記ＣＳネットワークサービス制御エンティティとＣＳネットワーク呼制御エンティティとの両方は、前記切替側加入者の切替前の接続ポイントが現在所属する交換機である、
ことを特徴とする請求項１に記載の方法。
【請求項１５】
ステップｂにおいて、前記ＣＳネットワークサービス制御エンティティは、移動インテリジェントネットワークのＳＣＰであり、前記ＣＳネットワーク呼制御エンティティは、切替側加入者のインテリジェントサービスのトリガーを担当する移動交換局／サービス交換ポイント（ＭＳＣ／ＳＳＰ）であり、
前記ステップａは、
ＭＳＣ／ＳＳＰは、切替側加入者からの呼確立要求または切替側加入者への呼確立要求を受信した後、切替側加入者の移動ネットワークエンハンストロジックのカスタマイズドアプリケーション（ＣＡＭＥＬ）の加入情報を取得し、当該加入情報によってＳＣＰにサービストリガー要求を送信し、コールパーティハンドリング（ＣＰＨ）モードに従って呼を制御するステップａ１１と、
ＳＣＰは、当該サービストリガー要求を受信した後、ＭＳＣ／ＳＳＰと、サービストリガー及びサービス制御のためのやり取りを行い、ＭＳＣ／ＳＳＰに、呼を続いて接続するよう指示するステップａ１２とを含み、
前記ステップｂは、
ＳＣＰは、呼試みの開始のためのメッセージを用いて、ＭＳＣ／ＳＳＰに、前記切替先の接続ポイントのアドレッシング情報を提供し、前記切替先の接続ポイントと新しい呼接続を確立するよう指示し、前記アドレッシング情報には、少なくとも前記切替先の接続ポイントのアドレッシング番号を含むステップｂ１１と、
ＭＳＣ／ＳＳＰは、ＳＣＰから送信された、前記切替先の接続ポイントのアドレッシング番号が付けられている呼試みの開始のためのメッセージを受信した後、メッセージにおけるアドレッシング番号によって、前記切替先の接続ポイントと新しい呼接続を確立し、ＳＣＰに、呼試みの開始に対する応答を返すステップｂ１２と、
ＳＣＰは、当該応答を受信した後、コールレグの移動操作により、ＭＳＣ／ＳＳＰに、前記切替先の接続ポイントとの間で確立された新しい呼接続を初期ＣＳ呼接続に接続するよう指示することにより、前記切替先の接続ポイントと初期ＣＳ呼接続における相手加入者とが接続されるようにするステップｂ１３と、
ＳＣＰは、コールレグの分離操作及びコールレグの解放操作により、初期ＣＳ呼接続から前記切替前の接続ポイントとの呼接続を解放するよう、ＭＳＣ／ＳＳＰに指示するステップｂ１４とを含み、
ここで、前記ＭＳＣ／ＳＳＰは、宛先ネットワーク方式において、発呼加入者端末が現在所属する在圏移動通信交換局及びサービス交換ポイント（ＶＭＳＣ／ＳＳＰ）であり、または、宛先ネットワーク方式において、着呼加入者端末のローミング番号を取得するゲートウェイ移動通信交換局及びサービス交換ポイント（ＧＭＳＣ／ＳＳＰ）であり、または、オーバレイネットワーク方式において、専用移動交換局及びサービス交換ポイント（ＭＳＣ／ＳＳＰ）である、
ことを特徴とする請求項１４に記載の方法。
【発明の詳細な説明】
【技術分野】
【０００１】
本発明は通信技術分野に関し、特に回線交換（ＣＳ）呼接続の切替方法に関するものである。
【背景技術】
【０００２】
インターネット（Ｉｎｔｅｒｎｅｔ）の普及に伴って、人々は、もはや単一の音声通信方式に満足することができなく、真新しいマルチメディア通信方式を望んでいる。従って、移動通信網と固定通信網のインターネットプロトコル（ＩＰ）化、及びＩｎｔｅｒｎｅｔと電気通信網の融合は、業界公認の未来のネットワーク発展の勢いとなっている。ますます突出しているＩＰマルチメディアの応用ニーズを満足するように、広帯域符号分割多元接続（ＷＣＤＭＡ）システムの技術標準の制定を担当する第３世代パートナーシッププロジェクト（３ＧＰＰ）は、そのバージョン５（Ｒ５）段階において、パケットベアラネットワーク上に、オールＩＰサービスネットワークアーキテクチャのＩＰマルチメディアサブシステム（ＩＭＳ）を導入している。ＩＭＳは、その上位層制御シグナリングやメディアデータの伝送のためのベアラチャネルとしてパケット交換（ＰＳ）ドメインを採用し、そのサービス制御プロトコルとしてセッション開始プロトコル（ＳＩＰ）を採用している。また、簡単で、拡張し易く、及びメディアの組み合わせが便利であるＳＩＰの特徴を利用して、サービス制御とベアラ制御とを分け、これによって、加入者のために豊富なマルチメディアサービスを提供する目的を実現する。ＩＭＳのアーキテクチャは、例えば、ローミング課金、サービス品質（ＱｏＳ）の保証及びセキュリティ等のＩＰベアラにおいてマルチメディアサービスの提供に解決必要となる肝心な運営可能の問題を全面的に解決しており、そのアーキテクチャと構想はもう業界で公認されている。ｃｄｍａ２０００システムの技術標準の制定を担当する第３世代パートナーシッププロジェクト２（３ＧＰＰ２）、及び固定網の次世代ネットワーク技術標準の制定を担当する標準化団体ＴＩＳＰＡＮは、すべて３ＧＰＰによって定義されたＩＭＳモデルを基礎とし、それを参照して相応のＩＰマルチメディアネットワークアーキテクチャとサービス体系を定義している。つまり、上記異なる標準化団体によって定義されたＩＰマルチメディアシステムは、同じシステムアーキテクチャを有している。
【０００３】
無線ＬＡＮ（ＷＬＡＮ）は、便利で、短距離データ伝送に適するネットワークであり、免許不要（Ｕｎｌｉｃｅｎｓｅｄ）の周波数帯で動作するため、周波数帯の使用に高額なライセンス料を支払うことなく、もっと安い料金で加入者にサービスを提供することができる。しかしながら、ＷＬＡＮは、アクセスレートや環境への適応方面においてある程度の局限性があるため、ちょうど３Ｇと互いに相補的となる。従って、ＷＬＡＮと３Ｇネットワークの融合は、業界の関心するポイントとなりつつある。ＷＬＡＮとＷＣＤＭＡシステムの融合は、３ＧＰＰにより、そのＲ６段階において導入された研究課題の１つであり、主にＷＬＡＮと３Ｇの融合におけるネットワークの構成やシグナリングのやり取りを研究し、易しいものから難しいものまで６個の異なるシナリオを分析している。そのうち、シナリオ３において、位置サービス、ＩＭＳサービス、インスタントメッセージング及びプレゼンス（Ｐｒｅｓｅｎｃｅ）サービス等を含む３ＧシステムでのＰＳドメインのサービスをＷＬＡＮネットワークに拡張できるように通信事業者に要求する。シナリオ４ないしシナリオ５において、アクセスシステムの切替が発生する場合にサービスの連続性を保持することをさらに要求する。例えば、加入者は、アクセスの変化に注意されるが、前に確立されたサービスを再確立する必要はない。研究の進展及びネットワーク建設の発展にしたがって、ＷＬＡＮを介してＩＭＳにアクセスしてＶｏＩＰ（  Ｖｏｉｃｅ  ｏｖｅｒ  Ｉｎｔｅｒｎｅｔ  Ｐｒｏｔｏｃｏｌ）サービスを提供し且つＩＭＳとＣＳドメインとの間の音声呼出の連続性を実現する需要は、議事日程に入っている。
【発明の開示】
【発明が解決しようとする課題】
【０００４】
ＷＬＡＮを介してＩＭＳにアクセスしてＶｏＩＰサービスを提供し且つＩＭＳとＣＳドメインとの間の音声呼出の連続性を実現することは、以下のことを指す。加入者がマルチモード端末を利用してＷＬＡＮを介してＩＭＳにアクセスしてＶｏＩＰサービスを行うプロセスにおいて、ＷＬＡＮホットスポットのカバー範囲から動き出すことによりネットワークの接続を失う等の場合、連続的にカバーされているＷＣＤＭＡネットワークまたはほかの移動網を介して、ＣＳドメインにアクセスして、相手加入者との通話を続けることができる。または、加入者がＣＳドメインで相手加入者と通話するプロセスにおいて、端末がＷＬＡＮホットスポットのカバー範囲に入る場合、呼接続がＷＬＡＮを介してＩＭＳにアクセスする方式に切り替えて、相手加入者との通話を続けることができ、そのため、もっと安い料金を享受し、またはＷＣＤＭＡネットワーク信号が室内で減衰されることで通話品質に影響を与えることを回避する。つまり、ＣＳ呼において異なるアクセス方式の音声呼出切替をサポートし、且つ通話の継続性を保持することを要求する。
【０００５】
一方、デュアルモード端末は、値段が高く、また、端末自身の原因で通話を続けることができない場合、例えば、端末の電池が切れるなどの場合も存在する可能性がある。そのため、上記の呼出切替は加入者の２つの異なる端末間で実現することもできる。つまり、ＣＳ呼において端末を切り替えることで通話の継続性を保持する能力を提供する必要がある。
【０００６】
この能力を提供することによって、加入者は、ＣＳ呼において端末またはアクセス方式を切り替えることができ、従って相手加入者との通話を続いて保持して、加入者により良いサービス体験を与えることにより、ネットワークの発展を促進する。
【０００７】
しかしながら、上記課題に対して、３ＧＰＰは関連の作業事項によって上記問題に言及し、その解決方案を研究しているが、現在までまだ具体的な解決方案が提出されていない。
【０００８】
そのほか、上記のような、進行中の音声通話に対して、端末間での切替を行うことで、その通話の連続性を保持する需要をさらに考えると、実際はまたより多くの応用シナリオがある。例えば、加入者は、途中で移動端末を使用して相手加入者と通話を確立し、家に帰った後、料金の特恵を得たりまたは自分の両手を解放するように、進行中の通話を家の固定電話に切り替えることを希望し、逆に、加入者は、家で固定電話端末を使用して相手加入者と通話を確立し、外出しなければならない時、途中でやはり続けて相手加入者と通話するように、進行中の通話を移動端末に切り替えることを希望している。つまり、上記のような、進行中の通話をＩＭＳと移動網ＣＳドメインとの間で切り替える需要がある以外に、また、進行中の通話をＩＭＳと異なる回線交換網間で切り替える需要、及び２つの異なる回線交換網間で切り替える需要をサポートする必要がある。ここで、前記異なる回線交換網は、ＧＳＭ、ＷＣＤＭＡ、ＣＤＭＡ  ＩＳ−９５またはＣＤＭＡ  ２０００  １Ｘに基づく公衆陸上移動通信網（ＰＬＭＮ）の回線交換網部分及び公衆交換電話網（ＰＳＴＮ）を含み、前記ＩＭＳは、上記異なる標準化団体によって定義された同じアーキテクチャを備えているＩＰマルチメディアネットワークを含む。
【０００９】
そこで、本発明は上記に鑑みてなされたものであり、呼プロセスにおいて端末またはアクセス方式を切り換えると同時に、呼サービスの連続性の保持を実現することができる回線交換呼接続の切替方法を提供することを主な目的とする。また、ここで、前記異なる回線交換網は、ＧＳＭ、ＷＣＤＭＡ、ＣＤＭＡ  ＩＳ−９５またはＣＤＭＡ  ２０００  １Ｘに基づく公衆陸上移動通信ネットワーク（ＰＬＭＮ）の回線交換網部分及び公衆交換電話網（ＰＳＴＮ）を含み、前記ＩＭＳは、上記異なる標準化団体によって定義される同じアーキテクチャを備えているＩＰマルチメディアネットワークを含む。
【００１０】
同時に、回線交換網においてインテリジェントネットワークアーキテクチャを採用して新しいサービスを導入する利点と、この音声呼出の切替方式が交換機の能力への要求とを統合して考えた上、本発明は、それぞれインテリジェントネットワークアーキテクチャに基づく解決方案や、直接に交換機における解決方案を含む異なる実現方式を提供する。
【課題を解決するための手段】
【００１１】
上記の目的に達成するため、本発明は、ＣＳ呼接続の切替方法を提供し、当該方法は、
切替側加入者と相手加入者との間の初期ＣＳ呼接続を確立するステップａと、
切替プロセスにおいて、ＣＳネットワークサービス制御エンティティの制御下で、ＣＳネットワーク呼制御エンティティと前記切替側加入者の切替先の接続ポイントとの間で新しい呼接続を確立し、次にＣＳネットワーク呼制御エンティティは、ＣＳネットワークサービス制御エンティティの制御下で、前記切替先の接続ポイントを初期ＣＳ呼接続における相手加入者に接続し、最後にＣＳネットワーク呼制御エンティティと切前記切替前の接続ポイントとの間の呼接続を解放するステップｂとを含み、
ここで、前記切替前の接続ポイントと前記切替先の接続ポイントは、それぞれ異なる加入者端末であり、または異なる通信網にアクセスする同一のユ―ザ端末である。
【００１２】
上記の方法において、ステップｂにおいて、前記切替前の接続ポイントと前記切替先の接続ポイントは、それぞれＣＳネットワークとインターネットプロトコルＩＰマルチメディアサブシステムＩＭＳにアクセスする加入者端末であり、
前記ＣＳネットワーク呼制御エンティティと前記切替先の接続ポイントとの間で新しい呼接続を確立するステップは、メディアゲートウェイ制御機能及びＩＭメディアゲートウェイ（ＭＧＣＦ／ＩＭ−ＭＧＷ）を介して、ＣＳネットワークからＩＭＳへのインタワーキング呼を確立するステップを含む。
【００１３】
上記の方法において、ステップｂの前に、
ＣＳネットワークサービス制御エンティティは、受信された切替要求または切替イベント通知から、前記切替側加入者の切替先の接続ポイントのアドレッシング情報を取得し、または、ＣＳネットワークサービス制御エンティティは、自身に保存されている加入者の加入情報から、前記切替側加入者の切替先の接続ポイントのアドレッシング情報を取得するステップｂ０をさらに含み、
ステップｂにおいて、前記ＣＳネットワーク呼制御エンティティと前記切替先の接続ポイントとの間で新しい呼接続を確立するステップは、ＣＳネットワークサービス制御エンティティは、取得された前記切替側加入者の切替先の接続ポイントのアドレッシング情報をＣＳネットワーク呼制御エンティティに送信し、ＣＳネットワーク呼制御エンティティは、受信されたアドレッシング情報によって前記切替側加入者の切替先の接続ポイントと新しい呼接続を確立するステップを含む。
【００１４】
上記の方法において、前記ステップｂ０の前に、前記切替前の接続ポイントは、現在のネットワーク接続の無線信号の強さが所定値より低いまたは自身が続いて動作できないと判定した場合、ＣＳネットワークサービス制御エンティティに切替要求を送信し、または、前記切替前の接続ポイントは、加入者の指示に応じてＣＳネットワークサービス制御エンティティに切替要求を送信する、ステップをさらに含む。
【００１５】
上記の方法において、前記切替前の接続ポイントがＣＳネットワークサービス制御エンティティに切替要求を送信するステップは、前記切替前の接続ポイントは、非構造付加サービスデータ（ＵＳＳＤ）方式でＣＳネットワークサービス制御エンティティに切替要求を送信し、または、前記切替前の接続ポイントは、機能（Ｆａｃｉｌｉｔｙ）メッセージを用いてＣＳネットワークサービス制御エンティティに切替要求を送信するステップを含む。
【００１６】
上記の方法において、前記ステップｂ０において、前記ＣＳネットワークサービス制御エンティティが自身に保存されている加入者の加入情報から前記切替側加入者の切替先の接続ポイントのアドレッシング情報を取得するステップは、ＣＳネットワークサービス制御エンティティは、予め設定されたポリシーによって切替条件を満足すると判定した場合、自身に保存されている加入者の加入情報から前記切替側加入者の切替先の接続ポイントのアドレッシング情報を取得するステップを含む。
【００１７】
上記の方法において、前記ステップｂは、ＣＳネットワークサービス制御エンティティは、ＣＳネットワーク呼制御エンティティが前記切替前の接続ポイントへ切替プロンプト音声を再生するよう制御するステップ、または、ＣＳネットワークサービス制御エンティティは、通知（Ｎｏｔｉｆｙ）メッセージまたは機能（Ｆａｃｉｌｉｔｙ）メッセージを用いて前記切替前の接続ポイントへ切替プロンプト情報を送信するステップ、をさらに含む。
【００１８】
上記の方法において、ステップｂ０において、前記ＣＳネットワークサービス制御エンティティが受信された切替イベント通知から前記切替側加入者の切替先の接続ポイントのアドレッシング情報を取得するステップは、ＣＳネットワークサービス制御エンティティは、切替側加入者からの切替イベント通知を受信し、受信された切替イベント通知から前記切替先の接続ポイントのアドレッシング情報を取得するステップを含む。
【００１９】
上記の方法において、前記切替イベント通知は、切替側加入者がその切替前の接続ポイントを介してＵＳＳＤ方式またはＦａｃｉｌｉｔｙメッセージでＣＳネットワークサービス制御エンティティに送信した切替イベント通知、または、ＣＳネットワークサービス制御エンティティがプレゼンス（Ｐｒｅｓｅｎｃｅ）サービスの加入と通知の方式により受信した切替イベント通知を含む。
【００２０】
上記の方法において、ステップｂにおいて、前記ＣＳネットワーク呼制御エンティティと前記切替先の接続ポイントとの間で新しい呼接続を確立するステップは、ＣＳネットワーク呼制御エンティティは、受信された前記切替先の接続ポイントのアドレッシング情報によって、前記切替先の接続ポイントに呼確立要求メッセージを送信するステップを含み、
当該呼確立要求メッセージには、当該呼接続が切替接続であることを指示する特定番号プレフィックスを有する着呼番号、または当該呼接続が切替接続であることを指示するシグナリング識別子が付けられている。
【００２１】
上記の方法において、ステップｂにおいて、前記ＣＳネットワーク呼制御エンティティと前記切替先の接続ポイントとの間で新しい呼接続を確立するステップは、ＭＧＣＦ／ＩＭ−ＭＧＷを介して、ＣＳネットワークからＩＭＳへのインタワーキング呼を確立し、ＭＧＣＦにより、前記特定番号プレフィックスまたはシグナリング識別子を、セッション開始プロトコル（ＳＩＰ）シグナリングにおける指示に変換するステップを含む。
【００２２】
上記の方法において、前記ステップｂは、ＣＳネットワーク呼制御エンティティと前記切替側加入者の切替先の接続ポイントとの間で新しい呼接続を確立するプロセスにおいて、当該呼接続に係るネットワークエンティティ及び加入者端末は、前記特定番号プレフィックスまたはシグナリング識別子またはＳＩＰシグナリングにおける指示によって、着呼側サービスの衝突処理、または着信音の回避処理、または課金最適化処理を行うステップをさらに含む。
【００２３】
上記の方法において、前記ステップａは、
切替側加入者と相手加入者との間の初期ＣＳ呼接続を確立するプロセスにおいて、前記切替先の接続ポイントは、ＣＳネットワークサービス制御エンティティから、ＣＳネットワーク呼制御エンティティのアドレッシング情報を取得するステップをさらに含み、または、前記ステップａの後、ステップｂの前に、前記切替先の接続ポイントは、前記切替前の接続ポイントから、ＣＳネットワーク呼制御エンティティのアドレッシング情報を取得するステップをさらに含み、
ステップｂにおいて、ＣＳネットワーク呼制御エンティティと前記切替先の接続ポイントとの間で新しい呼接続を確立するステップは、
前記切替先の接続ポイントは、取得されたＣＳネットワーク呼制御エンティティのアドレッシング情報によって、ＣＳネットワーク呼制御エンティティに接続確立要求を送信し、前記ＣＳネットワーク呼制御エンティティは、ＣＳネットワークサービス制御エンティティの指示に応じて当該要求を受け取り、且つ前記切替先の接続ポイントと新しい呼接続を確立するステップを含む。
【００２４】
上記の方法において、ステップｂにおいて、前記ＣＳネットワークサービス制御エンティティは、インテリジェントネットワークのサービス制御ポイント（ＳＣＰ）であり、前記ＣＳネットワーク呼制御エンティティは、切替側加入者のインテリジェントサービスのトリガーを担当するサービス交換ポイント（ＳＳＰ）であり、
または、前記ＣＳネットワークサービス制御エンティティとＣＳネットワーク呼制御エンティティとの両方は、前記切替側加入者の切替前の接続ポイントが現在所属する交換機である。
【００２５】
上記の方法において、ステップｂにおいて、前記ＣＳネットワークサービス制御エンティティは、移動インテリジェントネットワークのＳＣＰであり、前記ＣＳネットワーク呼制御エンティティは、切替側加入者のインテリジェントサービスのトリガーを担当する移動交換局／サービス交換ポイント（ＭＳＣ／ＳＳＰ）であり、
前記ステップａは、
ＭＳＣ／ＳＳＰは、切替側加入者からの呼確立要求または切替側加入者への呼確立要求を受信した後、切替側加入者の移動ネットワークエンハンストロジックのカスタマイズドアプリケーション（ＣＡＭＥＬ）の加入情報を取得し、当該加入情報によってＳＣＰにサービストリガー要求を送信し、コールパーティハンドリング（ＣＰＨ）モードに従って呼を制御するステップａ１１と、
ＳＣＰは、当該サービストリガー要求を受信した後、ＭＳＣ／ＳＳＰと、サービストリガー及びサービス制御のためのやり取りを行い、ＭＳＣ／ＳＳＰに、呼を続いて接続するよう指示するステップａ１２とを含み、
前記ステップｂは、
ＳＣＰは、呼試みの開始のためのメッセージを用いて、ＭＳＣ／ＳＳＰに、前記切替先の接続ポイントのアドレッシング情報を提供し、前記切替先の接続ポイントと新しい呼接続を確立するよう指示し、前記アドレッシング情報には、少なくとも前記切替先の接続ポイントのアドレッシング番号を含むステップｂ１１と、
ＭＳＣ／ＳＳＰは、ＳＣＰから送信された、前記切替先の接続ポイントのアドレッシング番号が付けられている呼試みの開始のためのメッセージを受信した後、メッセージにおけるアドレッシング番号によって、前記切替先の接続ポイントと新しい呼接続を確立し、ＳＣＰに、呼試みの開始に対する応答を返すステップｂ１２と、
ＳＣＰは、当該応答を受信した後、コールレグの移動操作により、ＭＳＣ／ＳＳＰに、前記切替先の接続ポイントとの間で確立された新しい呼接続を初期ＣＳ呼接続に接続するよう指示することにより、前記切替先の接続ポイントと初期ＣＳ呼接続における相手加入者とが接続されるようにするステップｂ１３と、
ＳＣＰは、コールレグの分離操作及びコールレグの解放操作により、初期ＣＳ呼接続から前記切替前の接続ポイントとの呼接続を解放するよう、ＭＳＣ／ＳＳＰに指示するステップｂ１４とを含み、
ここで、前記ＭＳＣ／ＳＳＰは、宛先ネットワーク方式において、発呼加入者端末が現在所属する在圏移動通信交換局及びサービス交換ポイント（ＶＭＳＣ／ＳＳＰ）であり、または、宛先ネットワーク方式において、着呼加入者端末のローミング番号を取得するゲートウェイ移動通信交換局及びサービス交換ポイント（ＧＭＳＣ／ＳＳＰ）であり、または、オーバレイネットワーク方式において、専用移動交換局及びサービス交換ポイント（ＭＳＣ／ＳＳＰ）である。
【発明の効果】
【００２６】
以上のように、本発明は、ＣＳネットワーク加入者がＣＳ通話中において、アクセス方式またはアクセス端末を切り替える必要があるとき、ＣＳネットワークサービス制御エンティティは、ＣＳネットワーク呼制御エンティティが前記切替先の接続ポイントと新しい呼接続を確立するよう制御し、そして前記切替先の接続ポイントを初期ＣＳ呼接続における相手加入者に接続するよう、ＣＳネットワーク呼制御エンティティを制御し、最後にＣＳネットワーク呼制御エンティティと切替側加入者の切替前の接続ポイントとの間の呼接続を解放することによって、初期ＣＳ呼接続における相手加入者が、切替後に、切替側加入者の切替先の接続ポイントに接続して、切替側加入者との通話を続けるようにし、最終に、元のＣＳ通話において、切替側加入者が呼を新しい呼接続ポイントに切り替えると同時に、通話の連続性を確保する目的を実現することになる。
【発明を実施するための最良の形態】
【００２７】
本発明の目的、技術方案とメリットをさらに明確にするため、以下、図面を参照して本発明をさらに詳述する。
【００２８】
上記のように、異なるネットワークの能力を十分に利用して、加入者に、より柔軟且つ豊富なサービスを提供するように、ＩＭＳと異なる回線交換網との間及び２つの異なる回線交換網の間での進行中通話の切替をサポートすべきである。ここで、前記異なる回線交換網は、ＧＳＭ、ＷＣＤＭＡ、ＣＤＭＡ  ＩＳ−９５またはＣＤＭＡ  ２０００  １Ｘに基づく公衆陸上移動通信網（ＰＬＭＮ）の回線交換網部分及び公衆交換電話網（ＰＳＴＮ）を含み、前記ＩＭＳは、上記異なる標準化団体によって定義されたＩＰマルチメディアネットワークを含む。
【００２９】
この需要を実現するために、本発明は、ＣＳ加入者がＣＳ通話プロセスにおいて、アクセス方式またはアクセス端末を切り替える必要があるとき、ＣＳネットワークサービス制御エンティティは、ＣＳネットワーク呼制御エンティティが前記切替先の接続ポイントと新しい呼接続を確立するよう制御し、そして切替先の接続ポイントを初期ＣＳ呼接続における相手加入者に接続するよう、ＣＳネットワーク呼制御エンティティを制御し、最後にＣＳネットワーク呼制御エンティティと切替側加入者の切替前の接続ポイントとの間の呼接続を解放することによって、初期ＣＳ呼接続における相手加入者が、切替後に、切替側加入者の切替先の接続ポイントに接続して、切替側加入者との通話を続けるようにし、最終に、元のＣＳ通話において切替側加入者が呼を新しい呼接続ポイントに切り替えると同時に、通話の連続性を確保する目的を実現する。ここで、上記切替前の接続ポイントと切替先の接続ポイントの両方は、それぞれ異なる端末であり、または異なる通信網にアクセスする同一の端末である。
【００３０】
以下、発呼加入者がそのマルチモード端末を介してＣＳドメインにおいて相手加入者とＣＳ呼を確立し、当該ＣＳ呼において、移動インテリジェントネットワークのアーキテクチャを採用して、サービス制御ポイント（ＳＣＰ）の制御下で、発呼加入者がそのマルチモード端末を介してＣＳアクセス方式からＩＭＳ方式への切替を実現するプロセスを例として、本発明を説明する。明確にすることから、まず、本発明が基づくインテリジェントネットワークについて説明する。
【００３１】
インテリジェントネットワークという概念は、１９８４年にアメリカベル通信会社（Ａｍｅｒｉｃａｎ  Ｂｅｌｌ  Ｃｏｍｍｕｎｉｃａｔｉｏｎ  Ｉｎｃ．）とアメリカ・テクノロジー会社によって提出され、１９９２年に国際電信電話諮問委員会（ＣＣＩＴＴ）によって標準化されたものである。これは、いろいろな新しいサービスを、高速・便利・柔軟・経済的・有効に生成し且つ実現できる体系であり、その目標として、すべての通信ネットワークのためにサ―ビスを提供することである。インテリジェントネットワークは、回線交換ドメインにおいて、サービス制御と交換とが分離されるアーキテクチャを用いるので、新しいサービスの展開において、ネットワークにおける異なるメーカーにより製造された異なるタイプの交換機のソフトウェアに対して改良する必要がなく、これによって、大きな利点を備えている。
【００３２】
現在の固定インテリジェントネットワークにおいて、サービス制御ポイント（ＳＣＰ）とサービス交換ポイント（ＳＳＰ）との間、及びＳＣＰとインテリジェントぺリフェラル（ＩＰ）との間に、国際電気通信連合・電気通信標準化部門（ＩＴＵ−Ｔ）によって定義されたインテリジェントネットワークアプリケーションプロトコル（ＩＮＡＰ：Ｉｎｔｅｌｌｉｇｅｎｔ  Ｎｅｔｗｏｒｋ  Ａｐｐｌｉｃａｔｉｏｎ  Ｐｒｏｔｏｃｏｌ）を採用している。ＩＮＡＰプロトコルは、国際電気通信連合・電気通信標準化部門（ＩＴＵ−Ｔ）の各段階能力セット（ＣＳ）に基づいて制定され、現在の段階においてサポートしている能力セットは、インテリジェントネットワーク能力セット２（ＩＮ  ＣＳ２）である。
【００３３】
ＧＳＭ／ＷＣＤＭＡにおいて、インテリジェントサービスを実現するように、移動網用拡張ロジックのためのカスタマイズドアプリケーション（ＣＡＭＥＬ：Ｃｕｓｔｏｍｉｚｅｄ  Ａｐｐｌｉｃａｔｉｏｎ  ｆｏｒ  Ｍｏｂｉｌｅ  ｎｅｔｗｏｒｋ  Ｅｎｈａｎｃｅｄ  Ｌｏｇｉｃ）を導入している。ＣＡＭＥＬは、移動加入者にインテリジェントサービスを提供するに用いられる移動インテリジェントネットワークの標準である。ＣＡＭＥＬは、ＧＳＭネットワークにサービス制御機能（ＳＣＦ）、特殊リソース機能（ＳＲＦ）及びサービス交換機能（ＳＳＦ）等の機能エンティティを追加することで、移動網と移動加入者の特性を同時に考えた上に、元のＧＳＭネットワークにおける移動交換局／在圏ロケーションレジスタ（ＭＳＣ／ＶＬＲ）、ゲートウェイ移動通信交換局（ＧＭＳＣ）及びホームロケーションレジスタ（ＨＬＲ）の機能を強化し、元の移動通信応用部（ＭＡＰ）のプロトコルに対しても強化と拡張を行い、これによって、移動加入者のためにインテリジェントサービスを提供する。図１は、移動網の回線ドメインにおいてＣＡＭＥＬを実現する機能アーキテクチャを示す。同図に示されるように、ＣＡＭＥＬサービスは、ＣＡＭＥＬ応用部（ＣＡＰ）と移動通信応用部（ＭＡＰ）との両方を使用することで実現される。ここで、ＣＡＰは、ＳＣＦと、ＳＳＦと、ＳＲＦとの間の通信プロトコルであり、ＭＡＰは、元の移動に関連する機能エンティティ間の通信プロトコルである。
【００３４】
ＣＡＭＥＬは、ＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）／３ＧＰＰによって段階的に制定されたものであり、同時に、ＩＮＡＰと同様に、ＩＴＵ−Ｔの各段階の能力セット（ＣＳ）に基づいて制定されたものである。現在、既に発布されているＣＡＭＥＬ標準には、ＣＡＭＥＬ１と、ＣＡＭＥＬ２と、ＣＡＭＥＬ３とＣＡＭＥＬ４との４段階の標準がある。そのうち、ＣＡＭＥＬ１からＣＡＭＥＬ３段階までの標準がサポートする能力セットは、インテリジェント能力セット２（ＩＮ  ＣＳ２）のサブセットであるが、移動網特有のパラメーターまたはメッセージが追加されている。Ｒ５段階で定義されたＣＡＭＥＬ４段階の標準においては、ＩＮ  ＣＳ２と一致する呼モデルを採用した上に、コールパーティハンドリング（ＣＰＨ：Ｃａｌｌ  Ｐａｒｔｙ  Ｈａｎｄｌｉｎｇ）能力に対しての定義を追加している。即ち、ＳＣＦエンティティが、呼セグメントアソシエーションにおける異なる呼セグメント、及び異なる呼セグメント間のコールレグに対しての解放、移動及び分離の動作を制御するようにサポートされる。つまり、ＣＰＨは、ハーフコールモデルを採用し、相対的に独立するコ―ルレグとして呼を管理する。各コールレグは、ネットワークから１つの端末加入者へのアソシエーションを表示する。１つのコールレグまたは互いに接続される複数のコールレグは、１つの呼セグメントを構成し、１つの呼セグメントにおける各コールレグ間の相互接続によって、各コールレグに対応する加入者の間で通信できるようになる。１つまたは複数の呼セグメントは、また１つの呼セグメントアソシエーションを構成し、１つの呼セグメントアソシエーションはＳＳＦとＳＣＦとの間の１つのセッションによって管理される。１つのコールレグは、その所属する呼セグメントアソシエーションにおける各呼セグメントの間で移動することができる。即ち、１つのコールレグは１つの呼セグメントに加入して当該呼セグメントの通話に参加することができ、又は、１つのコールレグは１つの呼セグメントから分離されることにより、当該呼セグメントの通話から退出することもできる。また、ＣＡＭＥＬ４標準において、ＳＣＦエンティティがサービス交換機能（ＳＳＦ）エンティティに回線交換（ＣＳ）ドメインの呼を開始させるよう制御することをサポートする能力を追加している。
【００３５】
これと類似して、北アメリカＣＤＭＡ移動通信システムにおいて採用されるプロトコルはＡＮＳＩ  ４１Ｄプロトコルであるが、インテリジェントサービスをサポートするように、米国規格協会（ＡＮＳＩ）の電気通信工業会及び電子工業会（ＴＩＡ／ＥＩＡ）は、ＡＮＳＩ  ４１Ｄプロトコルのシグナリング構成とシグナリング手順の上に、インテリジェントネットワーク能力セット２に基づいて、段階的に一連の無線インテリジェントネットワーク（ＷＩＮ：Ｗｉｒｅｌｅｓｓ  Ｉｎｔｅｌｌｉｇｅｎｔ  Ｎｅｔｗｏｒｋ）プロトコルを定義して、最終にＡＮＳＩ  ４１Ｅプロトコルに統合することによって、ＡＮＳＩ  ４１Ｅを、完全にインテリジェントネットワークに基づくコアネットワークプロトコルにする。
【００３６】
上記からわかるように、ＧＳＭ／ＷＣＤＭＡ  ＣＡＭＥＬ移動インテリジェントネットワークやＣＤＭＡ  ＡＮＳＩ−４１無線インテリジェントネットワークは、すべて固定インテリジェントネットワークを源とし、従って、それらの体系構成がほぼ同じとなることが決定される。また、３種類のインテリジェントネットワークのプロトコルはすべてインテリジェントネットワーク能力セット２に基づいて定義されているので、３種類のインテリジェントネットワークにおいて、関連するエンティティの間でやり取りするプロトコルに異なるところがあるが、サポートする能力は伯仲している。つまり、１種類のインテリジェントネットワークにおいて、その定義された能力によって実現できる機能は、ほかの２種類のインテリジェントネットワークにおいても、対応する能力によって基本的に同様に実現することができる。
【００３７】
以下、続いて本実施例を説明する。本実施例では、加入者が予め相応のインテリジェントサービスに加入する必要がある。即ち、Ｏ−ＣＳＩ（Ｏｒｉｇｉｎａｔｉｎｇ  ＣＡＭＥＬ  Ｓｕｂｓｃｒｉｐｔｉｏｎ  Ｉｎｆｏｒｍａｔｉｏｎ）とＴ−ＣＳＩ（Ｔｅｒｍｉｎａｔｉｎｇ  ＣＡＭＥＬ  Ｓｕｂｓｃｒｉｐｔｉｏｎ  Ｉｎｆｏｒｍａｔｉｏｎ）とを含む相応のインテリジェントサービスの加入情報を、加入者のＣＳ加入データに追加する。本実施例の方法に基づくシグナリングのやり取りプロセスは、図２に示されるようである。そのうち、サービス制御ポイントＳＣＰと移動交換局／サービス交換ポイントＭＳＣ／ＳＳＰは、それぞれＣＡＭＥＬアーキテクチャにおける機能エンティティＳＣＦとＳＳＦに対応するネットワークエンティティである。
【００３８】
本実施例の方法は主に下記のステップを含む。
【００３９】
ステップ２０１で、発呼加入者端末（ＵＥ  Ａ）は、ＣＳドメインにおいて着呼加入者端末（ＵＥ  Ｂ）とＣＳ呼を確立する。
【００４０】
当該プロセスは具体的に以下の通りである。まず、ＵＥ  Ａは、自身の所属するＭＳＣ／ＳＳＰへ呼確立要求を送信する。ＭＳＣ／ＳＳＰは、この要求を受信した後、ＶＬＲからＵＥ  Ａに対応する発呼加入者の加入情報を取得し、加入情報の中のＯ−ＣＳＩによって、指定されたＳＣＰへサービストリガー要求を送信し、且つＣＰＨモードに応じて呼を制御する。即ち、呼を、相対的に独立したコールレグとして管理する。ＳＣＰは、ＭＳＣ／ＳＳＰから送信されたサービストリガー要求を受信した後、ＭＳＣ／ＳＳＰとサービストリガーやサービス制御などのやり取りを行い、且つＭＳＣ／ＳＳＰへ呼継続の指示を送信する。ＭＳＣ／ＳＳＰは、当該指示を受信した後、ＧＭＳＣを介して着呼ルートの検索を完了してから、続いて着呼側の所属するネットワークへ、呼確立要求を送信する。着呼側の所属するネットワークは、標準的な着呼側プロセス処理を行い、当該着呼加入者の端末ＵＥ  Ｂと連絡した後、発呼側へ呼出音を返し、そして着呼端末であるＵＥ  Ｂが応答を返した後、発呼側へ呼応答を返すことで、初期呼の確立を完了する。発呼側ユ―ザＡと着呼側加入者Ｂは、それぞれの端末であるＵＥ  ＡとＵＥ  Ｂを介して正常な通話を行う。
【００４１】
ここで、上記Ｏ−ＣＳＩは、加入者が当該インテリジェントサービスに加入するとき追加したものであり、トリガー条件、トリガーのサービスキ―及び対応するＳＣＰアドレスの情報を含む。上記情報すべては、当該加入者のほかのＣＳ加入情報と一緒に、加入者の所属するホームロケーションレジスタ（ＨＬＲ）に全部保存され、加入者がその端末を介してネットワークにアクセスして位置を更新するとき、ＨＬＲから取られて、当該加入者端末の現在所属する在圏ロケーションレジスタ（ＶＬＲ）に保存される。
【００４２】
ＣＰＨモードに応じて呼を制御することは、当該呼を、１つの呼セグメントに制御される２つの互いに接続されているコールレグに分離することを指す。即ち、ＵＥ  Ａの所属するＭＳＣ／ＳＳＰにおいて、ＵＥ  ＡとＵＥ  Ｂとの間で確立された呼は、それぞれＵＥ  ＡとＵＥ  Ｂに対応する２つのコールレグに対応し、且つこの２つのコールレグは同じ呼セグメントにあり、互いに接続されている。
【００４３】
ステップ２０２で、ＵＥ  Ａは、ＳＣＰへ切替を開始する。
【００４４】
本実施例において、切替側の加入者の切替前の接続ポイントがネットワークに要求する方式を採用して切替を開始する。当該プロセスは具体的に以下の通りである。まず、ＵＥ  ＡがＩＭＳネットワークにアクセスしてＩＭＳ登録を完了した後、端末におけるＩＭＳモジュールは、端末内部のモジュール間のやり取り情報によって、またはＩＭＳモジュールとＣＳモジュールが共有データエリアを前後してアクセスする方式を採用することによって、端末内のＣＳモジュールに通知し、端末内のＣＳモジュールは、予め設定された条件を満足すると判定した場合、非構造付加サービスデータ（ＵＳＳＤ）の方式で、切替要求をＳＣＰへ送信する。
【００４５】
以下、ＵＳＳＤについて簡単に説明する。ＵＳＳＤは、ＧＳＭ第二段階の１つの付加サービスであり、加入者端末またはネットワーク側がＵＳＳＤ操作を開始することをサポートする。ショートメッセージ（Ｓｈｏｒｔ  Ｍｅｓｓａｇｅ）と同様に、ＵＳＳＤ操作は、呼の中で送信されることができ、一方、ショートメッセージと違うこととして、ＵＳＳＤは、リアルタイムにコネクション指向であることである。つまり、１つのＵＳＳＤセッションにおいて、無線接続をずっと保持して、透明チャンネルを提供し、格納転送する中間プロセスがない。また、１つのＵＳＳＤセッションプロセスにおいて、複数の連続的なＵＳＳＤ操作をサポートする。なお、ＵＳＳＤ操作のルートは、その中のサービスコード（Ｓｅｒｖｉｃｅ  Ｃｏｄｅ）によって決定され、ＵＳＳＤ応用を提供できるエンティティは、その中のサービスデータを解析して、サービスロジックによって処理と応答を行う。ＵＳＳＤ操作を通じて、通信事業者は、自分でローカル加入者の需要に合う相応のサービスを制定することができる。
【００４６】
また、上記切替を開始する方式として、多種の方式を採用できるが、以下は四つの具体的な方式を挙げる。
【００４７】
第一方式は、即ち本実施例に用いられる方式である。加入者が、ネットワークのカバー状況、予め設定されたポリシーまたは加入者の指示によって、切替条件を満足すると判定した場合、切替前の端末又はアクセス方式即ち切替前の接続ポイントにより、ＣＳネットワークサービス制御エンティティＳＣＰに切替要求を送信する。
【００４８】
第二方式として、ＣＳネットワークサービス制御エンティティＳＣＰは、通信事業者または加入者の予め設定したポリシーによって、切替条件を満足すると判定した場合、例えば、予め設定された時間に達し、通話連続時間が所定の長さに達する等の場合、直接に切替の開始を決定する。この時、ＳＣＰは、さらに、ＳＳＦ／ＳＲＦを制御することで加入者へプロンプト音を送信する方式で、切替のことを加入者に知らせることができる。
【００４９】
以下の２つの方式は、実質的に、サービス制御エンティティＳＣＰは、切替に関連するイベント通知を受信し、さらに通信事業者または加入者の予め設定したポリシーによって切替条件を満足すると判定した場合、直接に切替を開始するということに帰結することができる。ただ、切替に関連するイベント通知を受信する方式において異なるところがあり、具体的には、下記のとおりである。
【００５０】
第三方式として、加入者は、切替前の端末又はアクセス方式を介して、例えば、加入者の切替要求、加入者のＩＭＳでの登録完了等の切替に関連するイベント通知をネットワークに送信し、ＳＣＰは、通信事業者または加入者の予め設定したポリシーによって切替条件を満足すると判定した場合、直接に切替を開始する。
【００５１】
第四方式として、ＳＣＰは、プレゼンスサービスの加入と通知の方式によって、Ｐｒｅｓｅｎｃｅサービスサーバーから切替に関連するイベント通知を取得する。例えば、ＩＭＳにおいて端末に対応する切替先の接続ポイントは、ＩＭＳ登録を完了した後、ＩＭＳにおいてその切替先の接続ポイントのために配分したサービスノードにより、第三者登録方式でＰｒｅｓｅｎｃｅサービスサーバーに通知する。Ｐｒｅｓｅｎｃｅサービスサーバーは、加入状況によってこのイベントをＳＣＰに通知し、ＳＣＰは、通信事業者または加入者の予め設定したポリシーによって切替条件を満足すると判定した場合、直接に切替を開始する。
【００５２】
上記のいくつかの方式を帰結すると、切替加入者端末によって判断し且つ切替の開始を要求すること、及びサービス制御エンティティによって判断し且つ切替を開始することである。そのうち、サービス制御エンティティによって判断し且つ切替を開始することは、また、予め設定された条件によって自分で判断すること、及び切替に関連するイベント通知を受信した後判断することの２つの状況に分けられる。なお、サービス制御エンティティは、切替の開始を決定する時、さらに切替側へ通知を送信してもよい。各種の切替開始方式において、サービス制御エンティティなどのネットワークエンティティと前記切替端末との間、及びネットワークエンティティ間（例えばＰｒｅｓｅｎｃｅサービスサーバーとＳＣＰとの間）でのやり取り方式は、同じ効果に達成できさえすれば、異なるネットワークにおいて異なる方式またはメッセージを採用してよい。
【００５３】
ステップ２０３で、ＳＣＰが切替を開始する。
【００５４】
その切替開始のプロセスは、具体的に以下の通りである。ＳＣＰは、ＵＥから送信されたＵＳＳＤ操作情報を受信した後、ＭＳＣ／ＳＳＰに呼試みの開始のための指示を送信し、当該指示には、ＩＭＳシステムにおけるＵＥ  Ａの公的識別子（ｐｕｂｌｉｃ  ｉｄｅｎｔｉｆｉｅｒ）に対応するＥ．１６４番号、即ち切替先の接続ポイントのアドレッシング情報が付けられている。ＭＳＣ／ＳＳＰは、当該指示を受信した後、その中のＥ．１６４番号を分析し、そして番号の分析結果によって、ＣＳとＩＭＳとの間のインタワーキングゲートウェイであるメディアゲートウェイ制御機能（ＭＧＣＦ：Ｍｅｄｉａ  Ｇａｔｅｗａｙ  Ｃｏｎｔｒｏｌ  Ｆｕｎｃｔｉｏｎ）へ呼確立要求を送信する。
【００５５】
ここで、前記Ｅ．１６４番号即ち切替先の接続ポイントのアドレッシング情報は、端末またはアクセス方式を切り替える加入者自身のＭＳＩＳＤＮと一定の関係がある可能である。加入者がサービス要求を開始するとき、要求メッセージに自身のＭＳＩＳＤＮを付け、ＭＳＣ／ＳＳＰがＳＣＰに送信するサービストリガーメッセージにも当該番号が含まれるので、この場合、Ｅ．１６４番号は、ＳＣＰにより、事前定義の方式によって、受信したサービストリガーメッセージに付けられている、端末またはアクセス方式を切り換える加入者自身のＭＳＩＳＤＮから求められてもよく、端末またはアクセス方式を切り換える加入者により、送信される切替要求または切替イベント通知に直接に付けられ、ＳＣＰへ伝送されてもよい。
【００５６】
なお、ＳＣＰがＣＳとＩＭＳとの間のインタワーキングゲートウェイであるＭＧＣＦへ呼を開始する方式は、ＣＳドメインのネットワーキング状況によってＭＳＣ／ＳＳＰが直接にＭＧＣＦへルーティングしてもよく、ほかのＣＳ呼処理ユニットを介して転送してもよい。
【００５７】
また、前記ＭＳＣ／ＳＳＰは、開始した呼確立要求メッセージに、さらに特定番号プレフィックスを有する着呼番号または特定シグナリング識別子を付けることで、当該呼の特別性を指示することによって、当該呼に関わるネットワーク及び加入者端末に、この指示に応じて、相応の特定処理を行うようにする。なお、その特定処理には、主に、着呼側サービスの衝突処理、着信音の回避及び課金最適化等が含まれる。また、当該実施例に示すように、前記呼がＣＳ-ＩＭＳのインタワーキング呼であれば、当該指示は、後続のステップ２０４において記述されるように、ＭＧＣＦによってＳＩＰシグナリングにおける相応の指示に変換されたものである。そして、上記切替先の接続ポイントに切り替えられた、ＣＳ-ＩＭＳのインタワーキング呼が経るＩＭＳネットワークエンティティ、及び切替先の接続ポイントに対応する、ＩＭＳにアクセスする加入者端末は、当該ＳＩＰシグナリングにおける相応の指示によって上記特定処理を行うことができる。
【００５８】
ステップ２０４で、ＣＳドメインとＩＭＳドメインとのインタワーキング呼を確立する。即ち、新しいコールレグを確立する。
【００５９】
当該確立プロセスは具体的に以下の通りである。ＭＧＣＦは、呼確立要求を受信した後、３ＧＰＰ  ＴＳ  ２９．１６３プロトコルの規定によって、ＣＳドメインの呼確立要求をＩＭＳドメインのセッション確立要求に変換し、そしてＩＭＳドメインのＣＳＣＦ（Ｃａｌｌ  Ｓｅｓｓｉｏｎ  Ｃｏｎｔｒｏｌ  Ｆｕｎｃｔｉｏｎ）エンティティを介して、ＩＭＳセッション確立要求を加入者端末のＩＭＳ部に送信する。加入者端末のＩＭＳ部は、当該セッション確立要求を受信した場合、一連のＩＭＳセッション確立に関連するやり取りの後、最後にＩＭＳセッション応答メッセージをＭＧＣＦへ返し、ＭＧＣＦは、ＩＭＳセッション応答メッセージをＣＳ呼応答メッセージに変換してＭＳＣ／ＳＳＰに送信し、これによって、新しいコールレグの確立を完了し、最後に、ＭＳＣ／ＳＳＰは、ＳＣＰに呼試みの開始に対する応答を返す。
【００６０】
このとき、ＭＳＣ／ＳＳＰは、ＳＣＰの制御下で、切替先の接続ポイント即ち加入者端末のＩＭＳ部に対応する新しい呼接続であるコールレグを確立する。
【００６１】
上記のプロセスにおいて、ＭＧＣＦは、受信した呼確立要求におけるＥ．１６４番号またはほかの指示によって、当該呼が切替呼であることを識別することができ、ＩＭＳセッション確立要求に特定な指示を付加する。そして、ＭＧＣＦから加入者端末の間のＩＭＳドメインのＣＳＣＦエンティティ、及び切替先の接続ポイントに対応する、ＩＭＳにアクセスする加入者端末は、当該ＳＩＰシグナリングにおける特定な指示によって、着呼側サービスの衝突処理、着信音の回避及び課金最適化等の特定処理を行う。
【００６２】
ステップ２０５で、切替プロセスを行う。
【００６３】
当該プロセスは具体的に以下の通りである。ＳＣＰは、コールレグの移動、コールレグの分離及びコールレグの解放の操作を行うように、ＭＳＣ／ＳＳＰに順番に指示することによって、ＣＳ−ＣＳ呼において発呼加入者をＣＳドメインの接続ポイントからＩＭＳドメインの接続ポイントへ切り替えるプロセスを完了する。
【００６４】
ここで、コールレグの移動は、新しく確立したコールレグを元の呼セグメントに加入することにより、当該新しく確立したコールレグ即ちＵＥ  Ａ（ＩＭＳ）に対応するコールレグが元のＣＳ−ＣＳ呼に接続するようにして、切替加入者がその切替先の接続ポイント即ちＵＥ  Ａ（ＩＭＳ）を介して元の呼の相手加入者とやはり通話できるようにすることを指す。コールレグの分離は、切替加入者の切替前の接続ポイント即ちＵＥ  Ａ（ＣＳ）に対応する切替前の元のコールレグを、元の呼セグメントから分離させ、即ち切替前に対応する接続ポイントＵＥ  Ａ（ＣＳ）を元の呼から退出させることにより、切替加入者の切替先の接続ポイント即ちＵＥ  Ａ（ＩＭＳ）のみが元の呼の相手加入者に接続され、即ち両方が互いに通話できるようにすることを指す。コールレグの解放は、ＭＳＣ／ＳＳＰと切替加入者の切替前の接続ポイント即ちＵＥ  Ａ（ＣＳ）との接続を解放することを指す。
【００６５】
ここで、説明すべきことは、上記ＵＥ  Ａ（ＩＭＳ）は、切替加入者ＡがＩＭＳドメインにアクセスするのに用いられる端末ＵＥ  Ａであり、ＵＥ  Ａ（ＣＳ）は、切替加入者ＡがＣＳドメインにアクセスするのに用いられる端末ＵＥ  Ａである。また、本実施例においては、マルチモード端末を介してＣＳアクセス方式からＩＭＳ方式へ切り替えるプロセスを説明するので、上記ＵＥ  Ａ（ＩＭＳ）とＵＥ  Ａ（ＣＳ）は、１つの端末デバイスにおいて実現されるＩＭＳアクセス部とＣＳアクセス部である。
【００６６】
以上では、ＣＳ−ＣＳ呼において、呼を発呼加入者のマルチモード端末のＣＳアクセス方式から発呼加入者のマルチモード端末のＩＭＳアクセス方式へ切り替えるプロセスに対して説明している。実際の応用においては、マルチモード端末のコストが比較的に高く、サービスコストがＷＬＡＮアクセスの場合において比較的に低く、また、通話中の端末自体が続いて動作できない原因による切替需要がある可能性がある。従って、上記方案によって、加入者の進行中のＣＳ呼を当該加入者のほかの端末、例えば、ＷＬＡＮ端末に接続し、ＩＭＳにアクセスしてＶｏＩＰ方式で相手加入者との通話を続いて完了することも実現できる。この時、上記プロセスにおいて、前記端末の内部のやり取りは、異なる端末間のやり取りとなる。なお、端末間の具体的なやり取りは、ブルートゥース（ＢＴ）等の短距離無線通信手段で実現されることができ、または、ステップ２０２において記述した第三、第四方式を採用して、直接にその中の１つの端末がネットワーク側に通知して、ネットワーク側が切替を開始することで実現することができる。この時、上記ＵＥ  Ａ（ＩＭＳ）とＵＥ  Ａ（ＣＳ）は、実際的に、端末間の呼切替プロセスにおいて、それぞれＩＭＳドメインとＣＳドメインにアクセスする２つの異なる端末に対応する。
【００６７】
説明すべきことは、本実施例において、ステップ２０３〜２０４では、サービス制御エンティティとしてのＳＣＰが、呼制御エンティティとしてのＭＳＣ／ＳＳＰに、切替先の接続ポイントのアドレッシング情報を提供し、前記アドレッシング情報によって切替先の接続ポイントへの呼確立要求を開始するように呼制御エンティティを制御することによって、新しい接続を確立する。実際的に、ここで確保すべきことは、呼制御エンティティと切替先の接続ポイントとの間で新たな接続を確立することにある。切替先の接続ポイントにより呼確立要求を開始して、最終に新しい接続を確立する方法を採用しても、同じ効果に達成することができる。
【００６８】
また、本実施例のステップ２０５において、サービス制御エンティティとしてのＳＣＰが、呼制御エンティティとしてのＭＳＣ／ＳＳＰに、コールレグの解放操作を開始するよう指示する方式を採用して、呼制御エンティティと切替前の接続ポイントとの間の接続を解放する。同様に、ここで確保すべきことは、前記接続の解放である。そのため、前記切替前の接続ポイントが先に呼の解放を開始し、そしてＭＳＣ／ＳＳＰによりＳＣＰに報告し、次にＳＣＰによりＭＳＣ／ＳＳＰに当該呼解放処理を完了するよう指示することにより、最終に当該接続を解放する方法を採用しても、同じ効果に達成することができる。
【００６９】
上記実施例において、インテリジェントネットワークのアーキテクチャを採用し、ＣＡＭＥＬ段階４のＣＰＨ能力と呼試みの開始能力を利用して、ＳＣＰ制御下のＭＳＣ／ＳＳＰにより呼を制御することによって、ＣＳ−ＣＳ呼において呼を発呼加入者端末のＣＳアクセス方式からＩＭＳアクセス方式へ切り替える目的を実現する。
【００７０】
上記３種類のインテリジェントネットワークに関連する説明からわかるように、３種類のインテリジェントネットワークのサポートする能力は、互いに伯仲しているので、本実施例の方法は、実際的に、固定インテリジェントネットワークやＣＤＭＡ  ＡＮＳＩ−４１無線インテリジェントネットワークにおいても、それぞれ対応する能力及び制御やり取りプロセスに従って、同様に実現することができる。
【００７１】
また、実際な状況において、ＭＳＣ／ＳＳＰがＣＰＨまたは呼試みの開始能力をサポ―トしない場合、またはＭＳＣがＳＳＰ機能をサポートしない場合がある可能性がある。この場合、オーバレイネットワーク方式を採用して実現してもよい。即ち、ネットワークに１つの専用且つ上記能力をサポートするＭＳＣ／ＳＳＰを配置し、ほかの上記切替側加入者サービスを処理するＭＳＣが、まず自身の設定によって前記加入者に関連する呼を当該専用のＭＳＣ／ＳＳＰにルーティングし、次に当該ＭＳＣ／ＳＳＰにより本実施例における処理を行う。一方、インテリジェントネットワークのアーキテクチャを採用しなく、直接にＭＳＣ即ち移動網における交換機を改造する方式で上記機能を実現してもよい。
【００７２】
以下、１つの実施例を通じて、インテリジェントネットワークを採用しなく、直接にＭＳＣにより発呼加入者端末をＣＳアクセス方式からＩＭＳアクセス方式へ切り替えることを制御する方法を具体的に説明する。当該方法は、具体的に下記のステップを含む。
【００７３】
ステップ３０１で、ＭＳＣは、元の正常な処理方式で、初期呼の確立を制御する。
【００７４】
ステップ３０２で、切替の開始プロセスを行う。
【００７５】
当該プロセスは具体的に以下の三つの方式を含むことができる。
【００７６】
第一方式で、ＵＥ  Ａは、ネットワークのカバー状況、加入者の予め設定したポリシーまたは加入者の指示などの要素から切替条件を満足すると判定した場合、ＭＳＣに特定情報が付けられているＦａｃｉｌｉｔｙメッセージを送信し、またはＵＳＳＤ方式でＭＳＣに切替要求を送信する。ＭＳＣは、当該要求を受信した後、分析処理を行う。
【００７７】
ここで、Ｆａｃｉｌｉｔｙメッセージは、呼において加入者とネットワークとのやり取りを実現するに用いられるメッセージである。当該メッセージは、特定な情報要素を付けることによって、または情報要素の特定な内容によって、特定な情報を表現する。なお、その表現方式は限定されなく、通信事業者によって統一して規定されるものであり、加入者端末とＭＳＣがサポートすればよい。ＵＳＳＤは上記のようであり、ＵＥ  Ａはサービスコードを用いて、ＭＳＣにより当該ＵＳＳＤ応用を提供することを指示することができる。
【００７８】
第二方式で、ＭＳＣは、切替条件を満足すると判定した場合、直接に切替を開始し、プロンプト音声またはＮｏｔｉｆｙ／Ｆａｃｉｌｉｔｙメッセージで加入者端末ＵＥ  Ａに通知する。
【００７９】
第三方式で、ＵＥ  Ａは、特定な情報が付けられているＦａｃｉｌｉｔｙメッセージで切替に関連するイベント通知をＭＳＣに送信し、またはＵＳＳＤ方式で切替に関連するイベント通知をＭＳＣに送信し、そして、ＭＳＣは、通信事業者または加入者の予め設定したポリシーによって切替条件を満足すると判定した場合、切替を開始する。
【００８０】
同様に、上記のいくつかの方式を帰結すると、切替側加入者端末により、判断し且つ切替の開始を要求すること、及びサービス制御エンティティ（この時、呼制御エンティティと一体化され、即ちＭＳＣである）により、判断し且つ切替を開始することである。そのうち、サービス制御エンティティにより判断し且つ切替を開始する方式は、また、サービス制御エンティティが、予め設定された条件によって自身で判断することと、切替に関連するイベント通知を受信した後に判断することとに分けられる。また、サービス制御エンティティは、切替の開始を決定した場合に、さらに切替側へ通知を送信してもよい。また、各種の切替開始の方式において、前記切替端末とサービス制御エンティティとの間のやり取り方式は、同じ効果に達成できさえすれば、異なるネットワークにおいて異なる方式またはメッセージを採用してよい。
【００８１】
ステップ３０３で、切替プロセスを行う。
【００８２】
ＭＳＣは、加入者の加入データ、加入者の切替要求またはユ―ザの切替に関連するイベント通知から取得した切替先の接続ポイントのアドレッシング情報によって、当該アドレッシング情報に対応する接続ポイントへの呼接続の確立要求を開始し、ＭＳＣと切替先の接続ポイントとの新しい呼接続を確立し、そして当該新しく確立された呼を進行中の通話の相手加入者に接続し、最後にＭＳＣと切替前加入者の接続ポイントとの接続を解放することで、切替プロセスを完了する。
【００８３】
上記プロセスにおいて、前記切替がＣＳドメインからＩＭＳドメインへの切替である場合、前記呼接続は、ＣＳドメインからＣＳ／ＩＭＳゲートウェイを介して確立されたＣＳドメインとＩＭＳドメインとの間のインタワーキング呼である。
【００８４】
なお、ＭＳＣは、開始した呼確立要求に、特定番号プレフィックスを有する着呼番号または特定なシグナリング識別子を付けることによって、当該呼が切替呼であることを指示し、従って、当該呼に関わるネットワークエンティティ及び加入者端末が、シグナリングにおける当該特定な指示によって当該切替に対応する処理、例えば、着呼側のサービス衝突処理、着信音の回避及び課金最適化などを行うようにすることができる。当該呼がＣＳドメインからＩＭＳドメインへのインタワーキング呼である場合、上記指示はＭＧＣＦからＳＩＰシグナリングにおける相応の指示に変換されることができ、上記切替先の接続ポイントに接続されたＣＳ-ＩＭＳのインタワーキング呼に係るＩＭＳネットワークエンティティ及び切替先の接続ポイントに対応するＩＭＳにアクセスする加入者端末は、当該ＳＩＰシグナリングにおける相応の指示によって、上記特定な処理を行う。
【００８５】
また、ＭＳＣは移動網における交換機であるため、ＰＳＴＮネットワークにおける交換機を改良しまたは他のＰＬＭＮ（ＧＳＭ、ＷＣＤＭＡ、ＣＤＭＡ  ＩＳ−９５またはＣＤＭＡ  ２０００  １Ｘに基づくＰＬＭＮを含む）におけるＭＳＣを改良することによって、本実施例における関連処理を行うことにしても、同様にＣＳ呼接続の切替をサポートし且つ通話の連続性を確保する需要を実現することができる。
【００８６】
要するに、上記に記述したことは本発明の好ましい実施例にすぎない。
【図面の簡単な説明】
【００８７】
【図１】移動インテリジェントネットワークのＣＳドメインＣＡＭＥＬのアーキテクチャを示す図である。
【図２】本発明に係る１つの具体的な実施例におけるシグナリングのやり取りを示すフローチャートである。
【符号の説明】
【００８８】
ＳＣＦ  サービス制御機能
ＳＲＦ  特殊リソース機能
ＳＳＦ  サービス交換機能
ＭＳＣ  移動交換局
ＧＭＳＣ  ゲートウェイ移動通信交換局
ＶＬＲ  在圏ロケーションレジスタ
ＨＬＲ  ホームロケーションレジスタ
ＣＡＰ  ＣＡＭＥＬ応用部
ＭＡＰ  移動通信応用部
【図１】
2008532364.tif 000003
【図２】
2008532364.tif 000004
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
回線交換（ＣＳ）呼接続の切替方法であって、
ＣＳネットワーク呼制御エンティティを介して、切替側加入者の切替前の接続ポイントと相手加入者との間の初期ＣＳ呼接続を確立するステップと、
ＣＳネットワークサービス制御エンティティの制御下で、ＣＳネットワーク呼制御エンティティと前記切替側加入者の切替先の接続ポイントとの間で新しい呼接続を確立するステップと、
ＣＳネットワーク呼制御エンティティは、ＣＳネットワークサービス制御エンティティの制御下で、前記切替先の接続ポイントを初期ＣＳ呼接続における相手加入者に接続するステップと、
ＣＳネットワーク呼制御エンティティと前記切替前の接続ポイントとの間の呼接続を解放するステップとを含む、
ことを特徴とする方法。
【請求項２】
前記切替前の接続ポイントと前記切替先の接続ポイントは、それぞれＣＳネットワークとインターネットプロトコルＩＰマルチメディアサブシステムＩＭＳにアクセスする加入者端末であり、
前記ＣＳネットワーク呼制御エンティティと前記切替先の接続ポイントとの間で新しい呼接続を確立するステップは、
メディアゲートウェイ制御機能及びＩＭメディアゲートウェイ（ＭＧＣＦ／ＩＭ−ＭＧＷ）を介して、ＣＳネットワークからＩＭＳへのインタワーキング呼を確立するステップを含む、
ことを特徴とする請求項１に記載の方法。
【請求項３】
ＣＳネットワークサービス制御エンティティの制御下で、ＣＳネットワーク呼制御エンティティと前記切替側加入者の切替先の接続ポイントとの間で新しい呼接続を確立するステップの前に、ＣＳネットワークサービス制御エンティティは、前記切替側加入者の切替先の接続ポイントのアドレッシング情報を取得するステップをさらに含み、
前記ＣＳネットワーク呼制御エンティティと前記切替先の接続ポイントとの間で新しい呼接続を確立するステップは、
ＣＳネットワークサービス制御エンティティは、取得された前記切替側加入者の切替先の接続ポイントのアドレッシング情報をＣＳネットワーク呼制御エンティティに送信し、ＣＳネットワーク呼制御エンティティは、受信されたアドレッシング情報によって前記切替側加入者の切替先の接続ポイントと新しい呼接続を確立するステップを含む、
ことを特徴とする請求項１または２に記載の方法。
【請求項４】
ＣＳネットワークサービス制御エンティティが前記切替側加入者の切替先の接続ポイントのアドレッシング情報を取得するステップは、
前記切替前の接続ポイントは、現在のネットワーク接続の無線信号の強さが所定値より低いまたは自身が続いて動作できないと判定した場合、ＣＳネットワークサービス制御エンティティに切替要求を送信し、
または、前記切替前の接続ポイントは、加入者の指示に応じてＣＳネットワークサービス制御エンティティに切替要求を送信し、
ＣＳネットワークサービス制御エンティティは、受信された切替要求から、前記切替先の接続ポイントのアドレッシング情報を取得するステップを含む、
ことを特徴とする請求項３に記載の方法。
【請求項５】
前記切替前の接続ポイントがＣＳネットワークサービス制御エンティティに切替要求を送信するステップは、
前記切替前の接続ポイントは、非構造付加サービスデータ（ＵＳＳＤ）方式でＣＳネットワークサービス制御エンティティに切替要求を送信し、または、前記切替前の接続ポイントは、機能（Ｆａｃｉｌｉｔｙ）メッセージを用いてＣＳネットワークサービス制御エンティティに切替要求を送信するステップを含む、
ことを特徴とする請求項４に記載の方法。
【請求項６】
前記ＣＳネットワークサービス制御エンティティが前記切替側加入者の切替先の接続ポイントのアドレッシング情報を取得するステップは、
ＣＳネットワークサービス制御エンティティは、予め設定されたポリシーによって切替条件を満足すると判定した場合、自身に保存されている加入者の加入情報から前記切替側加入者の切替先の接続ポイントのアドレッシング情報を取得するステップを含む、
ことを特徴とする請求項３に記載の方法。
【請求項７】
ＣＳネットワークサービス制御エンティティは、ＣＳネットワーク呼制御エンティティが前記切替前の接続ポイントへ切替プロンプト音声を再生するよう制御するステップ、
または、ＣＳネットワークサービス制御エンティティは、通知（Ｎｏｔｉｆｙ）メッセージまたは機能（Ｆａｃｉｌｉｔｙ）メッセージを用いて前記切替前の接続ポイントへ切替プロンプト情報を送信するステップ、をさらに含む、
ことを特徴とする請求項６に記載の方法。
【請求項８】
前記ＣＳネットワークサービス制御エンティティが前記切替側加入者の切替先の接続ポイントのアドレッシング情報を取得するステップは、
ＣＳネットワークサービス制御エンティティは、切替側加入者からの切替イベント通知を受信し、受信された切替イベント通知から前記切替側加入者の切替先の接続ポイントのアドレッシング情報を取得するステップを含む、
ことを特徴とする請求項３に記載の方法。
【請求項９】
前記切替イベント通知は、
切替側加入者がその切替前の接続ポイントを介してＵＳＳＤ方式またはＦａｃｉｌｉｔｙメッセージでＣＳネットワークサービス制御エンティティに送信した切替イベント通知、または、ＣＳネットワークサービス制御エンティティがプレゼンス（Ｐｒｅｓｅｎｃｅ）サービスの加入と通知の方式により受信した切替イベント通知を含む、
ことを特徴とする請求項８に記載の方法。
【請求項１０】
前記ＣＳネットワーク呼制御エンティティと前記切替先の接続ポイントとの間で新しい呼接続を確立するステップは、
ＣＳネットワーク呼制御エンティティは、受信された前記切替先の接続ポイントのアドレッシング情報によって、前記切替先の接続ポイントに呼確立要求メッセージを送信するステップを含み、
当該呼確立要求メッセージには、当該呼接続が切替接続であることを指示する特定番号プレフィックスを有する着呼番号、または当該呼接続が切替接続であることを指示するシグナリング識別子が付けられてあり、
ＣＳネットワーク呼制御エンティティと前記切替側加入者の切替先の接続ポイントとの間で新しい呼接続を確立するプロセスにおいて、当該呼接続に係るネットワークエンティティおよび加入者端末は、前記特定番号プレフィックス又はシグナリング識別子によって、着呼側サービスの衝突処理、または着信音の回避処理、または課金最適化処理を行う、
ことを特徴とする請求項３に記載の方法。
【請求項１１】
前記ＣＳネットワーク呼制御エンティティと前記切替先の接続ポイントとの間で新しい呼接続を確立するステップは、
ＭＧＣＦ／ＩＭ−ＭＧＷを介して、ＣＳネットワークからＩＭＳへのインタワーキング呼を確立し、ＭＧＣＦにより、前記特定番号プレフィックスまたはシグナリング識別子を、セッション開始プロトコル（ＳＩＰ）シグナリングにおける指示に変換するステップを含み、
ＣＳネットワーク呼制御エンティティと前記切替側加入者の切替先の接続ポイントとの間で新しい呼接続を確立するプロセスにおいて、当該呼接続に係るネットワークエンティティおよび加入者端末は、前記ＳＩＰシグナリングにおける指示によって、着呼側サービスの衝突処理、または着信音の回避処理、または課金最適化処理を行う、
ことを特徴とする請求項１０に記載の方法。
【請求項１２】
切替側加入者と相手加入者との間の初期ＣＳ呼接続を確立するプロセスにおいて、前記切替先の接続ポイントは、ＣＳネットワークサービス制御エンティティから、を取得するステップをさらに含み、
前記ＣＳネットワーク呼制御エンティティと前記切替先の接続ポイントとの間で新しい呼接続を確立するステップは、
前記切替先の接続ポイントは、取得されたＣＳネットワーク呼制御エンティティのアドレッシング情報によって、ＣＳネットワーク呼制御エンティティに接続確立の要求を送信し、
前記ＣＳネットワーク呼制御エンティティは、ＣＳネットワークサービス制御エンティティの指示に応じて、当該接続確立の要求を受信し、前記切替先の接続ポイントと新しい呼接続を確立するステップを含む、
ことを特徴とする請求項１または２に記載の方法。
【請求項１３】
前記切替側加入者の切替前の接続ポイントと相手加入者との間の初期ＣＳ呼接続を確立した後、前記切替先の接続ポイントは、前記切替前の接続ポイントから、ＣＳネットワーク呼制御エンティティのアドレッシング情報を取得するステップをさらに含み、
ＣＳネットワーク呼制御エンティティと前記切替先の接続ポイントとの間で新しい呼接続を確立するステップは、
前記切替先の接続ポイントは、取得されたＣＳネットワーク呼制御エンティティのアドレッシング情報によって、ＣＳネットワーク呼制御エンティティに接続確立要求を送信し、前記ＣＳネットワーク呼制御エンティティは、ＣＳネットワークサービス制御エンティティの指示に応じて当該要求を受け取り、且つ前記切替先の接続ポイントと新しい呼接続を確立するステップを含む、
ことを特徴とする請求項１または２に記載の方法。
【請求項１４】
前記ＣＳネットワークサービス制御エンティティは、インテリジェントネットワークのサービス制御ポイント（ＳＣＰ）であり、前記ＣＳネットワーク呼制御エンティティは、切替側加入者のインテリジェントサービスのトリガーを担当するサービス交換ポイント（ＳＳＰ）であり、
または、前記ＣＳネットワークサービス制御エンティティとＣＳネットワーク呼制御エンティティとの両方は、前記切替側加入者の切替前の接続ポイントが現在所属する交換機である、
ことを特徴とする請求項１に記載の方法。
【請求項１５】
前記ＣＳネットワークサービス制御エンティティは、移動インテリジェントネットワークのＳＣＰであり、前記ＣＳネットワーク呼制御エンティティは、切替側加入者のインテリジェントサービスのトリガーを担当する移動交換局／サービス交換ポイント（ＭＳＣ／ＳＳＰ）であり、
前記ＣＳネットワーク呼制御エンティティを介して、前記切替側加入者の切替前の接続ポイントと相手加入者との間の初期ＣＳ呼接続を確立するステップは、
ＭＳＣ／ＳＳＰは、切替側加入者からの呼確立要求または切替側加入者への呼確立要求を受信した後、切替側加入者の移動ネットワークエンハンストロジックのカスタマイズドアプリケーション（ＣＡＭＥＬ）の加入情報を取得し、当該加入情報によってＳＣＰにサービストリガー要求を送信し、コールパーティハンドリング（ＣＰＨ）モードに従って呼を制御するステップと、
ＳＣＰは、当該サービストリガー要求を受信した後、ＭＳＣ／ＳＳＰと、サービストリガー及びサービス制御のためのやり取りを行い、ＭＳＣ／ＳＳＰに、呼を続いて接続するよう指示するステップとを含み、
前記ＣＳネットワークサービス制御エンティティの制御下で、ＣＳネットワーク呼制御エンティティと前記切替側加入者の切替先の接続ポイントとの間で新しい呼接続を確立するステップは、
ＳＣＰは、呼試みの開始のためのメッセージを用いて、ＭＳＣ／ＳＳＰに、前記切替先の接続ポイントのアドレッシング情報を提供し、前記切替先の接続ポイントと新しい呼接続を確立するよう指示し、前記アドレッシング情報には、少なくとも前記切替先の接続ポイントのアドレッシング番号を含むステップと、
ＭＳＣ／ＳＳＰは、ＳＣＰから送信された、前記切替先の接続ポイントのアドレッシング番号が付けられている呼試みの開始のためのメッセージを受信した後、メッセージにおけるアドレッシング番号によって、前記切替先の接続ポイントと新しい呼接続を確立し、ＳＣＰに、呼試みの開始に対する応答を返すステップと、を含み、
前記ＣＳネットワークサービス制御エンティティの制御下で、前記切替先の接続ポイントを初期ＣＳ呼接続における相手加入者に接続するステップは、
ＳＣＰは、当該応答を受信した後、コールレグの移動操作により、ＭＳＣ／ＳＳＰに、前記切替先の接続ポイントとの間で確立された新しい呼接続を初期ＣＳ呼接続に接続するよう指示することにより、前記切替先の接続ポイントと初期ＣＳ呼接続における相手加入者とが接続されるようにするステップを含み、
前記ＣＳネットワーク呼制御エンティティと前記切替前の接続ポイントとの間の呼接続を解放するステップは、
ＳＣＰは、コールレグの分離操作及びコールレグの解放操作により、初期ＣＳ呼接続から前記切替前の接続ポイントとの呼接続を解放するよう、ＭＳＣ／ＳＳＰに指示するステップを含む、
ことを特徴とする請求項１に記載の方法。
【請求項１６】
回線交換（ＣＳ）呼接続の切替システムであって、
ＣＳネットワーク呼制御エンティティと、ＣＳネットワーク呼制御エンティティと、を含み、
前記ＣＳネットワーク呼制御エンティティは、前記切替側加入者の切替先の接続ポイントと新しい呼接続を確立するよう、前記切替先の接続ポイントを初期ＣＳ呼接続における相手加入者に接続するよう、ＣＳネットワーク呼制御エンティティと前記切替前の接続ポイントとの間の呼接続を解放するよう、前記ＣＳネットワーク呼制御エンティティを制御し、
前記ＣＳネットワーク呼制御エンティティは、前記ＣＳネットワークサービス制御エンティティの制御下で、前記切替側加入者の切替前の接続ポイントと相手加入者との間の初期ＣＳ呼接続を確立し、前記切替側加入者の切替先の接続ポイントと新しい呼接続を確立し、前記切替先の接続ポイントを初期ＣＳ呼接続における相手加入者に接続し、ＣＳネットワーク呼制御エンティティと前記切替前の接続ポイントとの間の呼接続を解放する、
ことを特徴とするシステム。
【請求項１７】
前記ＣＳネットワーク呼制御エンティティは、移動交換局及びサービス交換ポイント（ＭＳＣ／ＳＳＰ）であり、前記ＣＳネットワークサービス制御エンティティは、移動インテリジェントネットワークのサービス制御ポイント（ＳＣＰ）であり、
前記ＭＳＣ／ＳＳＰは、切替側加入者からの呼確立要求または切替側加入者への呼確立要求を受信した後、前記ＳＣＰにサービストリガー要求を送信し、前記ＳＣＰの制御下で呼を制御し、ＳＣＰから送信された呼試みの開始のためのメッセージによって、前記切替先の接続ポイントと新しい呼接続を確立し、呼試みの開始に対する応答をＳＣＰに返し、ＳＣＰから送信されたコールレグの移動のためのメッセージによって、前記切替先の接続ポイントとの間で確立された新しい呼接続を初期ＣＳ呼接続に接続することにより、前記切替先の接続ポイントと初期ＣＳ呼接続における相手加入者とが接続されるようにし、および、ＳＣＰから送信されたコールレグの分離及びコールレグの解放のためのメッセージによって、初期ＣＳ呼接続から前記切替前の接続ポイントとの呼接続を解放し、
前記ＳＣＰは、サービストリガー要求を受信した後、ＭＳＣ／ＳＳＰとサービストリガー及びサービス制御のためのやり取りを行い、呼を続いて接続するようＭＳＣ／ＳＳＰに指示し、前記切替先の接続ポイントと新しい呼接続を確立するようＭＳＣ／ＳＳＰに指示し、呼試みの開始のためのメッセージに含まれている前記切替先の接続ポイントのアドレッシング番号をＭＳＣ／ＳＳＰに提供し、ＭＳＣ／ＳＳＰから返された呼試みの開始に対する応答を受信した後、コールレグの移動のためのメッセージを送信することで、前記切替先の接続ポイントを初期ＣＳ呼接続における相手加入者に接続するようＭＳＣ／ＳＳＰに指示し、コールレグの分離及びコールレグの解放のためのメッセージを送信することで、初期ＣＳ呼接続から前記切替前の接続ポイントとの呼接続を解放するようＭＳＣ／ＳＳＰに指示する、
ことを特徴とする請求項１６に記載のシステム。
【請求項１８】
前記ＭＳＣ／ＳＳＰは、宛先ネットワーク方式において、発呼加入者端末が現在所属する在圏移動通信交換局及びサービス交換ポイント（ＶＭＳＣ／ＳＳＰ）であり、または、宛先ネットワーク方式において、着呼加入者端末のローミング番号を取得するゲートウェイ移動通信交換局及びサービス交換ポイント（ＧＭＳＣ／ＳＳＰ）であり、または、オーバレイネットワーク方式において、ＭＳＣ／ＳＳＰである、
ことを特徴とする請求項１７に記載のシステム。
【請求項１９】
前記ＣＳネットワークサービス制御エンティティは、インテリジェントネットワークのＳＣＰであり、前記ＣＳネットワーク呼制御エンティティは、切替側加入者のインテリジェントサービスのトリガーを担当するサービス交換ポイント（ＳＳＰ）であり、
または、前記ＣＳネットワークサービス制御エンティティと前記ＣＳネットワーク呼制御エンティティとの両方は、切替側加入者の切替前の接続ポイントが現在所属する交換機である、
ことを特徴とする請求項１６に記載のシステム。
【手続補正３】
【補正対象書類名】明細書
【補正対象項目名】０００１
【補正方法】変更
【補正の内容】
【０００１】
本発明は通信技術分野に関し、特に回線交換（ＣＳ）呼接続の切替方法およびそのシステムに関するものである。
【手続補正４】
【補正対象書類名】明細書
【補正対象項目名】０００９
【補正方法】変更
【補正の内容】
【０００９】
そこで、本発明は上記に鑑みてなされたものであり、呼プロセスにおいて端末またはアクセス方式を切り換えると同時に、呼サービスの連続性の保持を実現することができる回線交換呼接続の切替方法およびそのシステムを提供することを主な目的とする。また、ここで、前記異なる回線交換網は、ＧＳＭ、ＷＣＤＭＡ、ＣＤＭＡ  ＩＳ−９５またはＣＤＭＡ  ２０００  １Ｘに基づく公衆陸上移動通信ネットワーク（ＰＬＭＮ）の回線交換網部分及び公衆交換電話網（ＰＳＴＮ）を含み、前記ＩＭＳは、上記異なる標準化団体によって定義される同じアーキテクチャを備えているＩＰマルチメディアネットワークを含む。
【手続補正５】
【補正対象書類名】明細書
【補正対象項目名】００１１
【補正方法】変更
【補正の内容】
【００１１】
上記の目的に達成するため、本発明は、ＣＳ呼接続の切替方法を提供し、当該方法は、
ＣＳネットワーク呼制御エンティティを介して、切替側加入者の切替前の接続ポイントと相手加入者との間の初期ＣＳ呼接続を確立するステップと、
ＣＳネットワークサービス制御エンティティの制御下で、ＣＳネットワーク呼制御エンティティと前記切替側加入者の切替先の接続ポイントとの間で新しい呼接続を確立するステップと、
ＣＳネットワーク呼制御エンティティは、ＣＳネットワークサービス制御エンティティの制御下で、前記切替先の接続ポイントを初期ＣＳ呼接続における相手加入者に接続するステップと、
ＣＳネットワーク呼制御エンティティと前記切替前の接続ポイントとの間の呼接続を解放するステップとを含む。
【手続補正６】
【補正対象書類名】明細書
【補正対象項目名】００１２
【補正方法】変更
【補正の内容】
【００１２】
上記の方法において、前記切替前の接続ポイントと前記切替先の接続ポイントは、それぞれＣＳネットワークとインターネットプロトコルＩＰマルチメディアサブシステムＩＭＳにアクセスする加入者端末であり、
前記ＣＳネットワーク呼制御エンティティと前記切替先の接続ポイントとの間で新しい呼接続を確立するステップは、メディアゲートウェイ制御機能及びＩＭメディアゲートウェイ（ＭＧＣＦ／ＩＭ−ＭＧＷ）を介して、ＣＳネットワークからＩＭＳへのインタワーキング呼を確立するステップを含む。
【手続補正７】
【補正対象書類名】明細書
【補正対象項目名】００１３
【補正方法】変更
【補正の内容】
【００１３】
上記の方法において、ＣＳネットワークサービス制御エンティティの制御下で、ＣＳネットワーク呼制御エンティティと前記切替側加入者の切替先の接続ポイントとの間で新しい呼接続を確立するステップの前に、
ＣＳネットワークサービス制御エンティティは、前記切替側加入者の切替先の接続ポイントのアドレッシング情報を取得するステップをさらに含み、
前記ＣＳネットワーク呼制御エンティティと前記切替先の接続ポイントとの間で新しい呼接続を確立するステップは、ＣＳネットワークサービス制御エンティティは、取得された前記切替側加入者の切替先の接続ポイントのアドレッシング情報をＣＳネットワーク呼制御エンティティに送信し、ＣＳネットワーク呼制御エンティティは、受信されたアドレッシング情報によって前記切替側加入者の切替先の接続ポイントと新しい呼接続を確立するステップを含む。
【手続補正８】
【補正対象書類名】明細書
【補正対象項目名】００１４
【補正方法】変更
【補正の内容】
【００１４】
上記の方法において、ＣＳネットワークサービス制御エンティティが前記切替側加入者の切替先の接続ポイントのアドレッシング情報を取得するステップは、前記切替前の接続ポイントは、現在のネットワーク接続の無線信号の強さが所定値より低いまたは自身が続いて動作できないと判定した場合、ＣＳネットワークサービス制御エンティティに切替要求を送信し、または、前記切替前の接続ポイントは、加入者の指示に応じてＣＳネットワークサービス制御エンティティに切替要求を送信し、
ＣＳネットワークサービス制御エンティティは、受信された切替要求から、前記切替先の接続ポイントのアドレッシング情報を取得するステップを含む。
【手続補正９】
【補正対象書類名】明細書
【補正対象項目名】００１６
【補正方法】変更
【補正の内容】
【００１６】
上記の方法において、前記ＣＳネットワークサービス制御エンティティが前記切替側加入者の切替先の接続ポイントのアドレッシング情報を取得するステップは、ＣＳネットワークサービス制御エンティティは、予め設定されたポリシーによって切替条件を満足すると判定した場合、自身に保存されている加入者の加入情報から前記切替側加入者の切替先の接続ポイントのアドレッシング情報を取得するステップを含む。
【手続補正１０】
【補正対象書類名】明細書
【補正対象項目名】００１７
【補正方法】変更
【補正の内容】
【００１７】
上記の方法において、ＣＳネットワークサービス制御エンティティは、ＣＳネットワーク呼制御エンティティが前記切替前の接続ポイントへ切替プロンプト音声を再生するよう制御するステップ、または、ＣＳネットワークサービス制御エンティティは、通知（Ｎｏｔｉｆｙ）メッセージまたは機能（Ｆａｃｉｌｉｔｙ）メッセージを用いて前記切替前の接続ポイントへ切替プロンプト情報を送信するステップ、をさらに含む。
【手続補正１１】
【補正対象書類名】明細書
【補正対象項目名】００１８
【補正方法】変更
【補正の内容】
【００１８】
上記の方法において、前記ＣＳネットワークサービス制御エンティティが前記切替側加入者の切替先の接続ポイントのアドレッシング情報を取得するステップは、ＣＳネットワークサービス制御エンティティは、切替側加入者からの切替イベント通知を受信し、受信された切替イベント通知から前記切替側加入者の切替先の接続ポイントのアドレッシング情報を取得するステップを含む。
【手続補正１２】
【補正対象書類名】明細書
【補正対象項目名】００２０
【補正方法】変更
【補正の内容】
【００２０】
上記の方法において、前記ＣＳネットワーク呼制御エンティティと前記切替先の接続ポイントとの間で新しい呼接続を確立するステップは、ＣＳネットワーク呼制御エンティティは、受信された前記切替先の接続ポイントのアドレッシング情報によって、前記切替先の接続ポイントに呼確立要求メッセージを送信するステップを含み、
当該呼確立要求メッセージには、当該呼接続が切替接続であることを指示する特定番号プレフィックスを有する着呼番号、または当該呼接続が切替接続であることを指示するシグナリング識別子が付けられてあり、
ＣＳネットワーク呼制御エンティティと前記切替側加入者の切替先の接続ポイントとの間で新しい呼接続を確立するプロセスにおいて、当該呼接続に係るネットワークエンティティおよび加入者端末は、前記特定番号プレフィックス又はシグナリング識別子によって、着呼側サービスの衝突処理、または着信音の回避処理、または課金最適化処理を行う。
【手続補正１３】
【補正対象書類名】明細書
【補正対象項目名】００２１
【補正方法】変更
【補正の内容】
【００２１】
上記の方法において、前記ＣＳネットワーク呼制御エンティティと前記切替先の接続ポイントとの間で新しい呼接続を確立するステップは、ＭＧＣＦ／ＩＭ−ＭＧＷを介して、ＣＳネットワークからＩＭＳへのインタワーキング呼を確立し、ＭＧＣＦにより、前記特定番号プレフィックスまたはシグナリング識別子を、セッション開始プロトコル（ＳＩＰ）シグナリングにおける指示に変換するステップを含み、
ＣＳネットワーク呼制御エンティティと前記切替側加入者の切替先の接続ポイントとの間で新しい呼接続を確立するプロセスにおいて、当該呼接続に係るネットワークエンティティおよび加入者端末は、前記ＳＩＰシグナリングにおける指示によって、着呼側サービスの衝突処理、または着信音の回避処理、または課金最適化処理を行う。
切替側加入者と相手加入者との間の初期ＣＳ呼接続を確立するプロセスにおいて、前記切替先の接続ポイントは、ＣＳネットワークサービス制御エンティティから、を取得するステップをさらに含み、
前記ＣＳネットワーク呼制御エンティティと前記切替先の接続ポイントとの間で新しい呼接続を確立するステップは、前記切替先の接続ポイントは、取得されたＣＳネットワーク呼制御エンティティのアドレッシング情報によって、ＣＳネットワーク呼制御エンティティに接続確立の要求を送信し、前記ＣＳネットワーク呼制御エンティティは、ＣＳネットワークサービス制御エンティティの指示に応じて、当該接続確立の要求を受信し、前記切替先の接続ポイントと新しい呼接続を確立するステップを含む。
【手続補正１４】
【補正対象書類名】明細書
【補正対象項目名】００２２
【補正方法】変更
【補正の内容】
【００２２】
上記の方法において、前記切替側加入者の切替前の接続ポイントと相手加入者との間の初期ＣＳ呼接続を確立した後、
前記切替先の接続ポイントは、前記切替前の接続ポイントから、ＣＳネットワーク呼制御エンティティのアドレッシング情報を取得するステップをさらに含み、
ＣＳネットワーク呼制御エンティティと前記切替先の接続ポイントとの間で新しい呼接続を確立するステップは、
前記切替先の接続ポイントは、取得されたＣＳネットワーク呼制御エンティティのアドレッシング情報によって、ＣＳネットワーク呼制御エンティティに接続確立要求を送信し、前記ＣＳネットワーク呼制御エンティティは、ＣＳネットワークサービス制御エンティティの指示に応じて当該要求を受け取り、且つ前記切替先の接続ポイントと新しい呼接続を確立するステップを含む。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】変更
【補正の内容】
【００２４】
上記の方法において、前記ＣＳネットワークサービス制御エンティティは、インテリジェントネットワークのサービス制御ポイント（ＳＣＰ）であり、前記ＣＳネットワーク呼制御エンティティは、切替側加入者のインテリジェントサービスのトリガーを担当するサービス交換ポイント（ＳＳＰ）であり、
または、前記ＣＳネットワークサービス制御エンティティとＣＳネットワーク呼制御エンティティとの両方は、前記切替側加入者の切替前の接続ポイントが現在所属する交換機である。
【手続補正１７】
【補正対象書類名】明細書
【補正対象項目名】００２５
【補正方法】変更
【補正の内容】
【００２５】
上記の方法において、前記ＣＳネットワークサービス制御エンティティは、移動インテリジェントネットワークのＳＣＰであり、前記ＣＳネットワーク呼制御エンティティは、切替側加入者のインテリジェントサービスのトリガーを担当する移動交換局／サービス交換ポイント（ＭＳＣ／ＳＳＰ）であり、
前記ＣＳネットワーク呼制御エンティティを介して、前記切替側加入者の切替前の接続ポイントと相手加入者との間の初期ＣＳ呼接続を確立するステップは、
ＭＳＣ／ＳＳＰは、切替側加入者からの呼確立要求または切替側加入者への呼確立要求を受信した後、切替側加入者の移動ネットワークエンハンストロジックのカスタマイズドアプリケーション（ＣＡＭＥＬ）の加入情報を取得し、当該加入情報によってＳＣＰにサービストリガー要求を送信し、コールパーティハンドリング（ＣＰＨ）モードに従って呼を制御するステップと、
ＳＣＰは、当該サービストリガー要求を受信した後、ＭＳＣ／ＳＳＰと、サービストリガー及びサービス制御のためのやり取りを行い、ＭＳＣ／ＳＳＰに、呼を続いて接続するよう指示するステップとを含み、
前記ＣＳネットワークサービス制御エンティティの制御下で、ＣＳネットワーク呼制御エンティティと前記切替側加入者の切替先の接続ポイントとの間で新しい呼接続を確立するステップは、
ＳＣＰは、呼試みの開始のためのメッセージを用いて、ＭＳＣ／ＳＳＰに、前記切替先の接続ポイントのアドレッシング情報を提供し、前記切替先の接続ポイントと新しい呼接続を確立するよう指示し、前記アドレッシング情報には、少なくとも前記切替先の接続ポイントのアドレッシング番号を含むステップと、
ＭＳＣ／ＳＳＰは、ＳＣＰから送信された、前記切替先の接続ポイントのアドレッシング番号が付けられている呼試みの開始のためのメッセージを受信した後、メッセージにおけるアドレッシング番号によって、前記切替先の接続ポイントと新しい呼接続を確立し、ＳＣＰに、呼試みの開始に対する応答を返すステップと、を含み、
前記ＣＳネットワークサービス制御エンティティの制御下で、前記切替先の接続ポイントを初期ＣＳ呼接続における相手加入者に接続するステップは、
ＳＣＰは、当該応答を受信した後、コールレグの移動操作により、ＭＳＣ／ＳＳＰに、前記切替先の接続ポイントとの間で確立された新しい呼接続を初期ＣＳ呼接続に接続するよう指示することにより、前記切替先の接続ポイントと初期ＣＳ呼接続における相手加入者とが接続されるようにするステップを含み、
前記ＣＳネットワーク呼制御エンティティと前記切替前の接続ポイントとの間の呼接続を解放するステップは、
ＳＣＰは、コールレグの分離操作及びコールレグの解放操作により、初期ＣＳ呼接続から前記切替前の接続ポイントとの呼接続を解放するよう、ＭＳＣ／ＳＳＰに指示するステップとを含む。
回線交換（ＣＳ）呼接続の切替システムであって、
ＣＳネットワーク呼制御エンティティと、ＣＳネットワーク呼制御エンティティと、を含み、
前記ＣＳネットワーク呼制御エンティティは、前記切替側加入者の切替先の接続ポイントと新しい呼接続を確立するよう、前記切替先の接続ポイントを初期ＣＳ呼接続における相手加入者に接続するよう、ＣＳネットワーク呼制御エンティティと前記切替前の接続ポイントとの間の呼接続を解放するよう、前記ＣＳネットワーク呼制御エンティティを制御し、
前記ＣＳネットワーク呼制御エンティティは、前記ＣＳネットワークサービス制御エンティティの制御下で、前記切替側加入者の切替前の接続ポイントと相手加入者との間の初期ＣＳ呼接続を確立し、前記切替側加入者の切替先の接続ポイントと新しい呼接続を確立し、前記切替先の接続ポイントを初期ＣＳ呼接続における相手加入者に接続し、ＣＳネットワーク呼制御エンティティと前記切替前の接続ポイントとの間の呼接続を解放する。
前記ＣＳネットワーク呼制御エンティティは、移動交換局及びサービス交換ポイント（ＭＳＣ／ＳＳＰ）であり、前記ＣＳネットワークサービス制御エンティティは、移動インテリジェントネットワークのサービス制御ポイント（ＳＣＰ）であり、
前記ＭＳＣ／ＳＳＰは、切替側加入者からの呼確立要求または切替側加入者への呼確立要求を受信した後、前記ＳＣＰにサービストリガー要求を送信し、前記ＳＣＰの制御下で呼を制御し、ＳＣＰから送信された呼試みの開始のためのメッセージによって、前記切替先の接続ポイントと新しい呼接続を確立し、呼試みの開始に対する応答をＳＣＰに返し、ＳＣＰから送信されたコールレグの移動のためのメッセージによって、前記切替先の接続ポイントとの間で確立された新しい呼接続を初期ＣＳ呼接続に接続することにより、前記切替先の接続ポイントと初期ＣＳ呼接続における相手加入者とが接続されるようにし、および、ＳＣＰから送信されたコールレグの分離及びコールレグの解放のためのメッセージによって、初期ＣＳ呼接続から前記切替前の接続ポイントとの呼接続を解放し、
前記ＳＣＰは、サービストリガー要求を受信した後、ＭＳＣ／ＳＳＰとサービストリガー及びサービス制御のためのやり取りを行い、呼を続いて接続するようＭＳＣ／ＳＳＰに指示し、前記切替先の接続ポイントと新しい呼接続を確立するようＭＳＣ／ＳＳＰに指示し、呼試みの開始のためのメッセージに含まれている前記切替先の接続ポイントのアドレッシング番号をＭＳＣ／ＳＳＰに提供し、ＭＳＣ／ＳＳＰから返された呼試みの開始に対する応答を受信した後、コールレグの移動のためのメッセージを送信することで、前記切替先の接続ポイントを初期ＣＳ呼接続における相手加入者に接続するようＭＳＣ／ＳＳＰに指示し、コールレグの分離及びコールレグの解放のためのメッセージを送信することで、初期ＣＳ呼接続から前記切替前の接続ポイントとの呼接続を解放するようＭＳＣ／ＳＳＰに指示する。
前記ＭＳＣ／ＳＳＰは、宛先ネットワーク方式において、発呼加入者端末が現在所属する在圏移動通信交換局及びサービス交換ポイント（ＶＭＳＣ／ＳＳＰ）であり、または、宛先ネットワーク方式において、着呼加入者端末のローミング番号を取得するゲートウェイ移動通信交換局及びサービス交換ポイント（ＧＭＳＣ／ＳＳＰ）であり、または、オーバレイネットワーク方式において、ＭＳＣ／ＳＳＰである。
前記ＣＳネットワークサービス制御エンティティは、インテリジェントネットワークのＳＣＰであり、前記ＣＳネットワーク呼制御エンティティは、切替側加入者のインテリジェントサービスのトリガーを担当するサービス交換ポイント（ＳＳＰ）であり、
または、前記ＣＳネットワークサービス制御エンティティと前記ＣＳネットワーク呼制御エンティティとの両方は、切替側加入者の切替前の接続ポイントが現在所属する交換機である。
【国際調査報告】
2008532364.tif 000005
2008532364.tif 000006
2008532364.tif 000007
2008532364.tif 000008
2008532364.tif 000009
2008532364.tif 000010